(57)【要約】  ローミングユーザの通信コンテンツのフィルタリング方法を提供する。この方法は、ローミングユーザの第２のネットワークが、ローミングユーザの第１のネットワークから受信あるいは送信されたコンテンツをフィルタリングするための規則を取得するステップと、このフィルタリング規則に基づいて受信あるいは送信されたコンテンツをフィルタリングするステップと、を含む。コンテンツフィルタサーバ、ローミングユーザの通信コンテンツをフィルタリングするためのシステム、およびホームネットワークコンテンツフィルタサーバ並びに訪問先コンテンツフィルタサーバもまた提供される。訪問先ネットワークにおいて受信あるいは送信されたコンテンツを処理する際の、ネットワークリソースや時間コストの浪費の問題を解決できる。
2010512076.tif 000002
【特許請求の範囲】
【請求項１】
ローミングユーザの通信コンテンツをスクリーニングする方法であって、
前記ローミングユーザの第２のネットワークにより、前記ユーザの受信および／または送信コンテンツをスクリーニングするのに用いる、前記ローミングユーザの第１のネットワークのスクリーニング規則を取得するステップと、
前記スクリーニング規則に従って、前記ローミングユーザの前記受信および／または送信コンテンツをスクリーニングするステップと、
を含むローミングユーザの通信コンテンツをスクリーニングする方法。
【請求項２】
前記方法が、
前記第２のネットワークによって、前記取得されたスクリーニング規則を前記第２のネットワーク自身に認識可能な構文およびセマンティクスに変換し、前記変換されたスクリーニング規則に従って、前記ローミングユーザの前記受信および／または送信コンテンツをスクリーニングするステップと、
前記ローミングユーザの前記第２のネットワークによって、前記ローミングユーザの前記受信および／または送信コンテンツを前記第２のネットワーク自身のスクリーニング規則に従って、スクリーニングするステップと、
の少なくとも１つをさらに含むことを特徴とする請求項１に記載の方法。
【請求項３】
前記ローミングユーザの前記第２のネットワークが、前記取得されたスクリーニング規則及び前記変換されたスクリーニング規則の少なくとも１つを前記第２のネットワーク自身のスクリーニング規則と結合させ、前記結合したスクリーニング規則に従って前記ローミングユーザの前記受信および／または送信コンテンツをスクリーニングすることを特徴とする請求項２に記載の方法。
【請求項４】
前記ユーザの前記受信および／または送信コンテンツをスクリーニングする前記スクリーニング規則が変更された場合、前記第１のネットワークにより、前記変更されたスクリーニング規則を前記第２のネットワークへ送信するステップと、
前記第２のネットワークにより、前記取得したスクリーニング規則を受信した前記変更されたスクリーニング規則に従って更新するステップと、
をさらに含むことを特徴とする請求項１に記載の方法。
【請求項５】
所定の期間内に前記ローミングユーザの受信および／または送信コンテンツがないことを検知した場合に、前記第２のネットワークにより、前記取得したスクリーニング規則を削除するステップをさらに含むことを特徴とする請求項１に記載の方法。
【請求項６】
前記第１のネットワークがホームネットワークでありかつ前記第２のネットワークが訪問先ネットワークである、もしくは、前記第１のネットワークが訪問先ネットワークでありかつ前記第２のネットワークがホームネットワークである、ことを特徴とする請求項１ないし請求項５のいずれかに記載の方法。
【請求項７】
前記第２のネットワークが訪問先ネットワークであり、かつ前記第１のネットワークがホームネットワークである場合、前記ユーザの受信および／または送信コンテンツをスクリーニングするために使用される前記ローミングユーザの第１のネットワークのスクリーニング規則を取得するステップが、
前記ローミングユーザを最初に検出した場合、もしくは前記ローミングユーザの前記受信および／または送信コンテンツを最初に受信した場合に、前記ユーザの前記受信および／または送信コンテンツをスクリーニングするために使用される、前記ローミングユーザの前記ホームネットワークの前記スクリーニング規則を、前記訪問先ネットワークにより取得するステップを含むことを特徴とする請求項１に記載の方法。
【請求項８】
前記スクリーニング規則を最初に取得する場合に、前記訪問先ネットワークにより、前記スクリーニング規則に対応する規則識別子を取得するステップと、
前記取得したスクリーニング規則及び対応する規則識別子を、前記訪問先ネットワークによりそれぞれ対応させて格納するステップと、
をさらに含むことを特徴とする請求項７に記載の方法。
【請求項９】
前記取得したスクリーニング規則の更新準備をする場合に、前記訪問先ネットワークが、前記対応する規則識別子を前記ローミングユーザの前記ホームネットワークへ送信し、
前記受信した規則識別子が前記ローミングユーザに対応して格納された規則識別子と一致しないと判定すれば、前記ホームネットワークが、前記ローミングユーザに対応する新しいスクリーニング規則及びそれに対応する新しい規則識別子を前記訪問先ネットワークに送信し、
前記訪問先ネットワークが、受信した前記の新規スクリーニング規則及び対応する規則識別子に従って、前記格納されたスクリーニング規則及び対応する規則識別子を更新する、ことを特徴とする請求項８に記載の方法。
【請求項１０】
前記受信した規則識別子が前記ローミングユーザに対応して格納された前記規則識別子に一致すると判定されれば、前記ホームネットワークが、スクリーニング規則非更新通知を前記訪問先ネットワークへ送信することを特徴とする請求項９に記載の方法。
【請求項１１】
前記ローミングユーザの受信および／または送信コンテンツを続いて受信する場合に、前記訪問先ネットワークが前記取得したスクリーニング規則の更新準備をすることを特徴とする請求項９に記載の方法。
【請求項１２】
前記第２のネットワークが訪問先ネットワークであり、かつ前記第１のネットワークがホームネットワークである場合、前記方法が、
前記ローミングユーザが前記訪問先ネットワークの圏外に移動したことを検知したとき、前記ローミングユーザの前記ホームネットワークにより、前記取得したスクリーニング規則を削除するように前記訪問先ネットワークに通知するステップと、
前記通知を受信したとき、前記訪問先ネットワークにより、前記取得したスクリーニング規則を削除するステップと、
をさらに含むことを特徴とする請求項１に記載の方法。
【請求項１３】
前記第２のネットワークが訪問先ネットワークであり、かつ前記第１のネットワークがホームネットワークである場合に、前記ローミングユーザの受信および／または送信コンテンツが前記ホームネットワークを経由するときに、前記ユーザがローミング中かどうかを前記ユーザの前記ホームネットワークが判定し、
前記ユーザがローミング中であると判定した場合、前記ローミングユーザの前記受信および／または送信コンテンツのスクリーニングを遮蔽することを特徴とする請求項１に記載の方法。
【請求項１４】
前記ユーザの前記受信および／または送信コンテンツのスクリーニングに使用される、前記ローミングユーザの前記ホームネットワーク自身の前記スクリーニング規則が、
すべての受信および／または送信コンテンツのスクリーニングに使用される前記ホームネットワークのスクリーニング規則と、
すべての受信および／または送信コンテンツのスクリーニングに使用される前記ホームネットワークのスクリーニング規則および前記ユーザのためにコンテンツスクリーニング加入者によって設定されたスクリーニング規則と、
を含むことを特徴とする請求項１に記載の方法。
【請求項１５】
前記第２のネットワークがホームネットワークであり、かつ前記第１のネットワークが訪問先ネットワークであるとき、前記ユーザの受信および／または送信コンテンツをスクリーニングするために使用される前記ローミングユーザの第１のネットワークのスクリーニング規則を取得するステップが、
前記ローミングユーザの最初の正常登録を検知したときに、ホームネットワークによって、前記ローミングユーザの前記訪問先ネットワークから前記スクリーニング規則を取得するステップを含むことを特徴とする請求項１に記載の方法。
【請求項１６】
前記ローミングユーザの登録解放を検知すると、前記ホームネットワークが前記取得したスクリーニング規則を削除することを特徴とする請求項１５に記載の方法。
【請求項１７】
前記ユーザの前記受信および／または送信コンテンツのスクリーニングに使用される、前記ローミングユーザの訪問先ネットワーク自身のスクリーニング規則が、
すべての受信および／または送信コンテンツに対して使用される前記訪問先ネットワークのスクリーニング規則を含むことを特徴とする請求項１に記載の方法。
【請求項１８】
ユーザの受信および／または送信コンテンツのスクリーニングに用いる、ローミングユーザの第１のネットワークのスクリーニング規則を取得するのに適応する、第２のネットワークの規則取得ユニットと、
前記スクリーニング規則に従って、前記ローミングユーザの前記受信および／または送信コンテンツをスクリーニングするのに適応するスクリーニングユニットと、
を含むコンテンツスクリーニングサーバ。
【請求項１９】
前記第２のネットワークにおいて、前記取得ユニットにより取得された前記スクリーニング規則を前記スクリーニングユニットにより認識可能な構文およびセマンティクスに変換するのに適応する変換ユニットと、
前記第２のネットワークにおいて、前記第２のネットワーク自身のスクリーニング規則に従って前記ローミングユーザの前記受信および／または送信コンテンツをスクリーニングするのに適応する自己スクリーニングユニットと、
の少なくとも１つのユニットをさらに含むことを特徴とする請求項１８に記載のコンテンツスクリーニングサーバ。
【請求項２０】
前記規則取得ユニットにより取得された前記スクリーニング規則の少なくとも１つと、前記第２のネットワーク自身のスクリーニング規則を用いて前記変換ユニットにより変換された前記受信されたスクリーニング規則とを結合し、前記結合されたスクリーニング規則を前記スクリーニングユニットへ送信するのに適応する結合ユニット、をさらに含むことを特徴とする請求項１８もしくは請求項１９に記載のコンテンツスクリーニングサーバ。
【請求項２１】
前記ユーザの前記受信および／または送信コンテンツをスクリーニングするための前記スクリーニング規則が変更されたとき、前記ローミングユーザの前記第１のネットワークから送信された変更されたスクリーニング規則に従って、前記取得されたスクリーニング規則の更新に適応する第１の規則更新ユニットと、
前記第２のネットワークが、所定の期間内に前記ローミングユーザの受信および／または送信コンテンツがないことを検知したときに、前記取得されたスクリーニング規則の削除に適応する第１の規則削除ユニットと、
の少なくとも１つをさらに含むことを特徴とする請求項１８に記載のコンテンツスクリーニングサーバ。
【請求項２２】
前記第１のネットワークがホームネットワークでありかつ前記第２のネットワークが訪問先ネットワークである、もしくは、前記第１のネットワークが訪問先ネットワークでありかつ前記第２のネットワークがホームネットワークである、ことを特徴とする請求項１８、１９、２１のいずれか１項に記載のコンテンツスクリーニングサーバ。
【請求項２３】
前記第１のネットワークがホームネットワークでありかつ前記第２のネットワークが訪問先ネットワークである、もしくは、前記第１のネットワークが訪問先ネットワークでありかつ前記第２のネットワークがホームネットワークである、ことを特徴とする請求項２０に記載のコンテンツスクリーニングサーバ。
【請求項２４】
前記コンテンツスクリーニングサーバが訪問先ネットワークで供用される場合に、前記規則取得ユニットが、
前記訪問先ネットワークが、前記ローミングユーザを最初に検知したとき、もしくは前記ローミングユーザの受信および／または送信コンテンツを最初に受信したときに、前記ユーザの受信および／または送信コンテンツをスクリーニングするために使用される、前記ローミングユーザのホームネットワークの前記スクリーニング規則を取得するのに適応する、第１の規則取得サブユニットを、含むことを特徴とする請求項１８に記載のコンテンツスクリーニングサーバ。
【請求項２５】
前記規則取得ユニットが、
前記スクリーニング規則を取得する場合に、前記スクリーニング規則に対応する規則識別子の取得に適応する、規則識別子取得サブユニットをさらに含むことを特徴とする請求項２４に記載のコンテンツスクリーニングサーバ。
【請求項２６】
前記規則識別子を前記ローミングユーザの前記ホームネットワークへの送信に適応する規則識別子送信ユニットと、
前記規則識別子送信ユニットから送信された前記規則識別子が前記ローミングユーザに対応して格納された規則識別子と一致しない場合に、前記ローミングユーザの前記ホームネットワークから送信された新スクリーニング規則および対応する新規則識別子に従って、前記スクリーニング規則及び対応する規則識別子を更新するのに適応する、第２の規則更新ユニットと、
をさらに含むことを特徴とする請求項２５に記載のコンテンツスクリーニングサーバ。
【請求項２７】
前記コンテンツスクリーニングサーバが訪問先ネットワークで供用される場合、前記コンテンツスクリーニングサーバが、
前記ローミングユーザが前記訪問先ネットワークの圏外に移動したことを検知した場合に、ホームネットワークから送信された規則削除通知を受信した際、前記取得されたスクリーニング規則を削除するのに適応する、第２の規則削除ユニットをさらに含むことを特徴とする請求項１８に記載のコンテンツスクリーニングサーバ。
【請求項２８】
前記コンテンツスクリーニングサーバがホームネットワークで供用される場合、前記規則取得ユニットが、
前記ホームネットワークが前記ローミングユーザの最初の正常登録を検知した場合に、前記ユーザの受信および／または送信コンテンツをスクリーニングするために使用される、前記ローミングユーザの前記訪問先ネットワークの前記スクリーニング規則を取得するのに適応する、第２の規則取得サブユニットを含むことを特徴とする請求項１８に記載のコンテンツスクリーニングサーバ。
【請求項２９】
前記ホームネットワークが前記ローミングユーザの登録解放を検知した場合、前記取得されたスクリーニング規則の削除に適応する第３の規則削除ユニットをさらに含むことを特徴とする請求項２８に記載のコンテンツスクリーニングサーバ。
【請求項３０】
ローミングユーザの通信コンテンツをスクリーニングするためのシステムであって、
前記ローミングユーザの受信および／または送信コンテンツをスクリーニングするために使用される、前記ローミングユーザのホームネットワークのスクリーニング規則を取得し、前記取得したスクリーニング規則に基づいて前記ローミングユーザの前記受信および／または送信コンテンツをスクリーニングするのに適応する、訪問先ネットワークコンテンツスクリーニングサーバと、
前記訪問先ネットワークコンテンツスクリーニングサーバから送信される取得要求に従って、前記ユーザの前記受信および／または送信コンテンツをスクリーニングするための前記スクリーニング規則を前記訪問先ネットワークコンテンツスクリーニングサーバへ送信するのに適応する、ホームネットワークコンテンツスクリーニングサーバと、
を含むシステム。
【請求項３１】
前記訪問先ネットワークコンテンツスクリーニングサーバが、前記受信および／または送信コンテンツをスクリーニングするのに使用される、前記訪問先ネットワークコンテンツスクリーニングサーバ自身のスクリーニング規則に基づいて、前記ローミングユーザの前記受信および／または送信コンテンツをスクリーニングすることにさらに適応することを特徴とする請求項３０に記載のシステム。
【請求項３２】
前記訪問先ネットワークコンテンツスクリーニングサーバが、前記取得されたスクリーニング規則を前記訪問先ネットワークコンテンツスクリーニングサーバそのものが認識可能な構文およびセマンティクスへ変換することにさらに適応し、前記変換されたスクリーニング規則に基づいて前記ローミングユーザの前記受信および／または送信コンテンツをスクリーニングすることを特徴とする請求項３０に記載のシステム。
【請求項３３】
前記訪問先ネットワークコンテンツスクリーニングサーバが、前記訪問先ネットワークコンテンツスクリーニングサーバ自身の前記スクリーニング規則を、前記取得されたスクリーニング規則と結合し、前記結合されたスクリーニング規則に基づいて前記ローミングユーザの前記受信および／または送信コンテンツをスクリーニングすることにさらに適応することを特徴とする請求項３２に記載のシステム。
【請求項３４】
訪問先ネットワークのコンテンツスクリーニングサーバであって、
ローミングユーザのホームネットワークから、前記ユーザの受信および／または送信コンテンツをスクリーニングするためのスクリーニング規則の取得に適応する取得ユニットと、
前記取得ユニットにより取得された前記スクリーニング規則の格納に適応する規則データベースと、
前記規則データベースに格納された前記スクリーニング規則に基づいて、前記ローミングユーザの前記受信および／または送信コンテンツをスクリーニングするのに適応するスクリーニングユニットと、
を含む訪問先ネットワークのコンテンツスクリーニングサーバ。
【請求項３５】
前記規則データベースが、前記受信および／または送信コンテンツをスクリーニングするために使用される前記訪問先ネットワークコンテンツスクリーニングサーバ自身のスクリーニング規則の格納にさらに適応することを特徴とする請求項３４に記載のサーバ。
【請求項３６】
前記ユーザの前記受信および／または送信コンテンツをスクリーニングするための前記スクリーニング規則が変更された場合、前記ローミングユーザの前記ホームネットワークから送信された変更済みスクリーニング規則に基づいて、前記規則データベース中に格納された前記取得されたスクリーニング規則を更新するのに適応する第１の規則更新ユニットをさらに含むことを特徴とする請求項３４に記載のサーバ。
【請求項３７】
前記取得ユニットが、前記スクリーニング規則を取得する際に、前記スクリーニング規則に対応する規則識別子を取得することにさらに適応し、
前記規則データベースが、前記取得されたスクリーニング規則に対応する前記規則識別子を格納することにさらに適応する、
ことを特徴とする請求項３４に記載のサーバ。
【請求項３８】
前記規則データベースから前記規則識別子を抽出し、前記規則識別子を前記ローミングユーザの前記ホームネットワークへ送信することに適応する、規則識別子送信ユニットと、
前記規則識別子送信ユニットから送信された前記規則識別子が前記ローミングユーザに対応して格納された規則識別子と一致しない場合に、前記ローミングユーザの前記ホームネットワークから送信された新スクリーニング規則および対応する新規則識別子に従って、前記規則データベース中に格納された前記スクリーニング規則及びそれの前記対応する規則識別子を更新するのに適応する、第２の規則更新ユニットと、
をさらに含むことを特徴とする請求項３７に記載のサーバ。
【請求項３９】
前記訪問先ネットワークコンテンツスクリーニングサーバが、その後前記ローミングユーザへ送信する、あるいは前記ローミングユーザから送信される、コンテンツを受信する度に、前記規則識別子送信ユニットが、前記ローミングユーザの前記ホームネットワークへ前記規則識別子を送信することにさらに適応することを特徴とする、請求項３８に記載のサーバ。
【請求項４０】
所定の期間内に前記ローミングユーザへ送信した、および／または前記ローミングユーザから送信されたコンテンツがないことを検知した場合に、前記規則データベース中の前記取得されたスクリーニング規則を削除するのに適応する第１の規則削除ユニットをさらに含むことを特徴とする請求項３４に記載のサーバ。
【請求項４１】
前記ローミングユーザが前記訪問先ネットワークの圏外に移動したことを検知した場合、前記ローミングユーザの前記ホームネットワークから前記訪問先ネットワークへ送信された規則削除通知を受信した際に、前記規則データベース中に格納された前記取得されたスクリーニング規則を削除するのに適応する、第２の規則削除ユニットをさらに含むことを特徴とする請求項３４に記載のサーバ。
【請求項４２】
ホームネットワークのコンテンツスクリーニングサーバであって、
ローミングユーザの訪問先ネットワーク中の訪問先ネットワークコンテンツスクリーニングサーバから送信され、前記ユーザの受信および／または送信コンテンツをスクリーニングするためのスクリーニング規則を要求するために使用される、取得要求を受信するのに適応する要求受信ユニットと、
前記要求受信ユニットにより受信された前記取得要求に従って、前記ユーザの受信および／または送信コンテンツをスクリーニングするための前記スクリーニング規則を検索し、前記訪問先ネットワークコンテンツスクリーニングサーバへ前記スクリーニング規則をフィードバックするのに適応する、スクリーニング規則フィードバックユニットと、
を含むホームネットワークコンテンツスクリーニングサーバ。
【請求項４３】
前記ユーザの前記受信および／または送信コンテンツをスクリーニングするための前記スクリーニング規則が変更された場合に、前記ローミングユーザの前記訪問先ネットワーク中の前記訪問先ネットワークコンテンツスクリーニングサーバへ前記変更スクリーニング規則を送信するのに適応する、変更規則送信ユニットをさらに含むことを特徴とする請求項４２に記載のサーバ。
【請求項４４】
前記ローミングユーザの前記訪問先ネットワーク中の前記訪問先ネットワークコンテンツスクリーニングサーバから送信された規則識別子が、前記ローミングユーザに対応して格納された規則識別子に一致するかどうかを判定するための比較を行うのに適応する、規則識別子比較ユニットと、
前記規則識別子比較ユニットの比較結果が一致する場合に、前記ローミングユーザの前記訪問先ネットワーク中の前記訪問先ネットワークコンテンツスクリーニングサーバに対してスクリーニング規則不変通知をフィードバックし、前記比較結果が不一致の場合に、前記ローミングユーザの前記訪問先ネットワーク中の前記訪問先ネットワークコンテンツスクリーニングサーバに対して、新スクリーニング規則及びそれに対応する新規則識別子送信するのに適応する、更新結果フィードバックユニットと、
をさらに含むことを特徴とする請求項４２に記載のサーバ。
【請求項４５】
前記ローミングユーザが前記訪問先ネットワークの圏外に移動したことを検知した場合に、前記訪問先ネットワーク中の前記訪問先ネットワークコンテンツスクリーニングサーバに対して、前記取得したスクリーニング規則を削除するように通知するのに適応する、規則削除通知ユニットをさらに含むことを特徴とする請求項４２に記載のサーバ。
【請求項４６】
前記ローミングユーザの前記受信および／または送信コンテンツが前記ホームネットワークを経由していく際に、前記ユーザがローミング中であるかどうかを判定するのに適応する、ローミング判定ユニットと、
前記ユーザがローミング中である場合に、前記ユーザの前記受信および／または送信コンテンツのスクリーニングを遮蔽するのに適応する、スクリーニング遮蔽ユニットと、
をさらに含むことを特徴とする請求項４２に記載のサーバ。
【発明の詳細な説明】
【技術分野】
【０００１】
本願は２００６年１２月７日に「ローミングユーザの通信コンテンツのスクリーニング用の方法、システムおよびサーバ」の標題で中国特許庁へ出願された中国特許出願第２００６１０１５７３５３．８号の優先権を主張するものである。その内容は参照によりここに全体が引用されたものとする。
【０００２】
本発明は通信分野におけるコンテンツのスクリーニング技術に関し、特にローミングユーザの通信コンテンツのスクリーニング用方法およびシステム、および、訪問先ネットワークコンテンツスクリーニングサーバ、ホーム訪問コンテンツスクリーニングサーバ、コンテンツスクリーニングサーバ、に関する。
【背景技術】
【０００３】
現在のところ、通信ネットワークにおけるコンテンツスクリーニング技術としては、一般に、名前リストスクリーニング技術、キーワードスクリーニング技術、画像スクリーニング技術、テンプレートスクリーニング技術、およびカテゴリスクリーニング技術、などがある。通信ネットワークにおけるコンテンツスクリーニング実施の目的は、悪意のあるコンテンツないしは望ましくないコンテンツを通信ユーザから隔離し、通信ネットワークにおける文化的な交信を確保するためである。
【０００４】
図１はローミング状態のユーザを示す従来技術のシステム構成図であり、ここでは、そのホームネットワークおよび訪問先ネットワークがそれぞれスクリーニング機構を有している。ここで、ホームネットワーク１０および訪問先ネットワーク２０はいずれも無線通信ネットワークであり、無線アクセスネットワークやコアネットワーク（これには、ＩＰマルチメディアサブシステム（ＩＭＳ）のようなサービス制御ネットワークや、サービスネットワークなどが含まれる）を含んでいる。ホームネットワーク１０および訪問先ネットワーク２０は、コアネットワークを介して相互に交信できる。コンテンツリソース３０は、コンテンツの提供元を指し、この無線通信ネットワークとは独立した（インターネットコンテンツサーバのような）外部エンティティであってもよいし、あるいは、（ショートメッセージセンタのような）無線通信ネットワーク内部のエンティティであってもよい。ここで、無線通信ネットワークから独立したコンテンツリソース３０は説明のために挙げた一例である。ホームネットワークコンテンツスクリーニングサーバ４０および訪問先ネットワークコンテンツスクリーニングサーバ５０は、それぞれホームネットワーク１０および訪問先ネットワーク２０に対するコンテンツのスクリーニングサービスを行う。これらはコンテンツスクリーニング提供元により管理される別々のエンティティであってもよいし、あるいは無線通信ネットワークオペレータそのものによって管理されるエンティティであってもよい。説明を容易にするために、ここでは一例としてホームネットワークおよび訪問先ネットワークのコンテンツスクリーニングサーバがそれぞれ無線通信ネットワークからは独立していることにする。ホームネットワークコンテンツスクリーニングサーバ４０および訪問先ネットワークコンテンツスクリーニングサーバ５０はそれぞれがコンテンツリソース３０と交信し、かつこの両者もまた相互に交信する。ホームネットワークの共通規則管理者６０が、ホームネットワーク１０の共通スクリーニング規則の管理に責任を持つ。すなわちホームネットワークコンテンツスクリーニングサーバ４０が、ホームネットワーク共通規則管理者６０により設定された規則に基づいてすべてのコンテンツに対してスクリーニング処理を実施する。さらに、コンテンツスクリーニング加入者８０が、関連するユーザもしくは関連するユーザグループに対してコンテンツスクリーニング規則を設定している場合には、ホームネットワーク共通規則管理者６０により設定された規則に基づいて関連ユーザあるいは関連ユーザグループのコンテンツをスクリーニングする際に、ホームネットワークコンテンツスクリーニングサーバ４０は、コンテンツスクリーニング加入者８０が設定したコンテンツスクリーニング規則に基づいたコンテンツのスクリーニングも行う。同様に、訪問先ネットワークの共通規則管理者７０が、訪問先ネットワーク２０の共通スクリーニング規則の管理に責任を持つ。すなわち訪問先ネットワークコンテンツスクリーニングサーバ５０が、訪問先ネットワーク共通規則管理者７０が設定した規則に基づいてすべてのコンテンツに対してスクリーニング処理を実施する。
【０００５】
その結果、ユーザ９０がホームネットワーク１０にいる場合には、ユーザ１０の関連コンテンツが遵守すべきスクリーニング規則としては、ホームネットワーク共通規則管理者６０により管理される規則と、コンテンツスクリーニング加入者８０により設定されたスクリーニング規則とが含まれる。ユーザが訪問先ネットワーク２０にローミングする場合には、上記のホームネットワークのスクリーニング規則を遵守することに加えて、ユーザ１０の関連コンテンツはさらに、訪問先ネットワーク共通規則管理者７０により管理される規則も遵守する。
【０００６】
図２は、図１に示されたシステム構造に基づいて、コンテンツリソースが訪問先ネットワークにいるローミングユーザへ関連コンテンツを送信する際のコンテンツスクリーニングプロセスを示す図である。具体的に、コンテンツスクリーニングプロセスは以下のようになる。
【０００７】
Ｓ１．コンテンツリソース（ＣＲ：Ｃｏｎｔｅｎｔ  Ｒｅｓｏｕｒｃｅ）が、コンテンツおよび受信ユーザの識別子をユーザのホームネットワーク（ＨＮ：Ｈｏｍｅ  Ｎｅｔｗｏｒｋ）へ送信する。
【０００８】
Ｓ２．ＨＮがコンテンツおよび受信ユーザの識別子をホームネットワークコンテンツスクリーニングサーバ（ＨＣＳ：Ｈｏｍｅ  Ｃｏｎｔｅｎｔ  Ｓｃｒｅｅｎｉｎｇ  Ｓｅｒｖｅｒ）へ送信し、ＨＣＳへコンテンツのスクリーニング実施を要求する。ＣＲから送られた受信ユーザの識別子をＨＣＳが認識できない場合には、ＣＲから送られた受信ユーザの識別子に従って、ＨＣＳの認識可能な対応ユーザ識別子をＨＮが探してＨＣＳへ送信する必要がある。
【０００９】
Ｓ３．ＨＣＳは、ＨＮのコンテンツが遵守すべきすべてのスクリーニング規則（共通スクリーニング規則、および場合によってはコンテンツスクリーニング加入者により設定された個人用スクリーニング規則も含めて）を見つけ出し、遵守すべきすべてのスクリーニング規則に従ってコンテンツのスクリーニング処理を実施する。
【００１０】
Ｓ４．ＨＣＳがスクリーニング結果および受信ユーザの識別子をＨＮへ送信する。
【００１１】
Ｓ５．ＨＮがスクリーニング結果および受信ユーザの識別子を訪問先ネットワーク（ＶＮ：Ｖｉｓｉｔｅｄ  Ｎｅｔｗｏｒｋ）へ送信する。
【００１２】
Ｓ６．ＶＮが受信したスクリーニング結果および受信ユーザの識別子を訪問先ネットワークコンテンツスクリーニングサーバ（ＶＣＳ：Ｖｉｓｉｔｅｄ  Ｃｏｎｔｅｎｔ  Ｓｃｒｅｅｎｉｎｇ  Ｓｅｒｖｅｒ）へ送信し、コンテンツのスクリーニング実施をＶＣＳに要求する。ＨＮから送られた受信ユーザ識別子をＶＣＳが認識できない場合には、ＶＮは、ＨＮから送られた受信ユーザの識別子に従って、ＶＣＳが認識できる対応ユーザ識別子を探してＶＣＳへ送信する必要がある。
【００１３】
Ｓ７．ＶＣＳが、訪問先ネットワークの共通スクリーニング規則に従って、受信したコンテンツに対してスクリーニング処理を実施する。
【００１４】
Ｓ８．ＶＣＳがスクリーニング結果および受信ユーザ識別子をＶＮへ送信する。
【００１５】
Ｓ９．ＶＮが受信ユーザ識別子に従って送信アドレスを判定し、スクリーニング結果を所要データパケットフォーマットにカプセル化して、それをローミングユーザへ送信する。
【発明の概要】
【発明が解決しようとする課題】
【００１６】
しかしながらこれまで述べた従来技術においては、コンテンツリソースがコンテンツを訪問先ネットワークでローミングしているユーザへ送信する場合、送信されるコンテンツはまずホームネットワークコンテンツスクリーニングサーバでスクリーニングされ、次いで、訪問先ネットワークコンテンツスクリーニングサーバによってスクリーニングされなければならない。一方で、訪問先ネットワークにいるローミングユーザがコンテンツをコンテンツリソースへ送信する場合、送信されるコンテンツはまず訪問先ネットワークコンテンツスクリーニングサーバでスクリーニングされ、次いで、ホームネットワークコンテンツスクリーニングサーバによってスクリーニングされなければならない。この結果、これがネットワーク処理リソースの多大な消費および長いスクリーニング時間という問題を惹き起す。他方、スクリーニング処理は単一ポイントでの障害の影響を受ける可能性が大きく、したがって、コンテンツを受信および／または送信する際に、ローミング中のユーザの利用感覚に大きく影響を及ぼす。
【課題を解決するための手段】
【００１７】
本発明の実施形態によって、訪問先ネットワークにいるローミングユーザの受信および／または送信コンテンツに対するスクリーニング処理を実施する際に生じるネットワーク処理リソースの浪費および長い処理時間、という問題を解決するための、ローミングユーザの通信コンテンツのスクリーニング方法およびシステムが提供される。
【００１８】
さらに、本発明の実施形態により、訪問先ネットワークコンテンツスクリーニングサーバ、ホームネットワークコンテンツスクリーニングサーバ、およびコンテンツスクリーニングサーバを提供する。
【００１９】
上記の問題を解決するために、本発明の実施形態はローミングユーザの通信コンテンツをスクリーニングする方法を提供し、その方法は、ローミングユーザの第２のネットワークにより、ユーザの受信および／または送信コンテンツのスクリーニングに用いる、ローミングユーザの第１のネットワークのスクリーニング規則を取得するステップと、スクリーニング規則に従って、ローミングユーザの受信および／または送信コンテンツをスクリーニングするステップと、を含む。
【００２０】
本発明の実施形態はさらにコンテンツスクリーニングサーバを提供し、このサーバは、ユーザの受信および／または送信コンテンツのスクリーニングに用いる、ローミングユーザの第１のネットワークのスクリーニング規則を取得するのに適応する第２のネットワークの規則取得ユニットと、スクリーニング規則に従ってローミングユーザの受信および／または送信コンテンツをスクリーニングするのに適応するスクリーニングユニットと、を含む。
【００２１】
さらに、本発明の実施形態はローミングユーザの通信コンテンツをスクリーニングするためのシステムを提供し、このシステムは、ローミングユーザの受信および／または送信コンテンツをスクリーニングするために用いられる、このローミングユーザのホームネットワークのスクリーニング規則を取得し、かつ、取得したスクリーニング規則に基づいてローミングユーザの受信および／または送信コンテンツをスクリーニングするのに適応する、訪問先ネットワークコンテンツスクリーニングサーバと、 訪問先ネットワークコンテンツスクリーニングサーバから送信される取得要求に従って、ユーザの受信および／または送信コンテンツをスクリーニングするためのスクリーニング規則を訪問先ネットワークコンテンツスクリーニングサーバへ送信するのに適した、ホームネットワークコンテンツスクリーニングサーバと、を含む。
【００２２】
さらに、本発明の実施形態は訪問先ネットワークコンテンツスクリーニングサーバを提供し、このサーバが、ローミングユーザのホームネットワークから、ユーザの受信および／または送信コンテンツをスクリーニングするためのスクリーニング規則を取得するのに適応する取得ユニットと、取得ユニットにより取得されたスクリーニング規則を格納するのに適応する規則データベースと、規則データベースに格納されたスクリーニング規則に基づいて、ローミングユーザの受信および／または送信コンテンツをスクリーニングするのに適応するスクリーニングユニットと、を含む。
【００２３】
本発明の実施形態はさらにホームネットワークコンテンツスクリーニングサーバを提供し、このサーバは、ローミングユーザの訪問先ネットワーク中の訪問先ネットワークコンテンツスクリーニングサーバから送信され、ユーザの受信および／または送信コンテンツをスクリーニングするためのスクリーニング規則を要求するために使用される、取得要求を受信するのに適応する要求受信ユニットと、要求受信ユニットにより受信された取得要求に従って、ユーザの受信および／または送信コンテンツをスクリーニングするためのスクリーニング規則を検索し、訪問先ネットワークコンテンツスクリーニングサーバへスクリーニング規則をフィードバックするのに適応するスクリーニング規則フィードバックユニットと、を含む。
【発明の効果】
【００２４】
本発明の実施形態によれば以下のような有利な効果を達成することができる。
【００２５】
本発明の技術的解決法によれば、ローミングユーザの受信および／または送信コンテンツのコンテンツスクリーニング処理を、ホームネットワークおよび訪問先ネットワークでそれぞれに実行することを回避でき、それによって、コンテンツスクリーニング処理の遅延を短縮し、ネットワークリソースを節約し、そしてその一方で、スクリーニングプロセスが単一ポイントでの障害の影響を受ける可能性を低減し、そうしてローミングユーザが受信および／または送信コンテンツの処理をより迅速かつ快適に実行できるようにし、ユーザの利用感覚が改善される。
【図面の簡単な説明】
【００２６】
【図１】ローミング状態のユーザを示す従来技術のシステム構成図である。ここではホームネットワークおよび訪問先ネットワークのそれぞれがスクリーニング機構を有する。
【図２】図１に示されたシステム構成に基づいて、コンテンツリソースから訪問先ネットワークにいるローミングユーザへ関連コンテンツを送信する、コンテンツスクリーニングプロセスを示す図である。
【図３】本発明の一実施形態による、スクリーニング規則取得の処理プロセスを示す図である。
【図４】本発明の別の実施形態による、スクリーニング規則を取得し、コンテンツをスクリーニングする処理プロセスを示す図である。
【図５】本発明の一実施形態による、２つのローミングモードのＩＭＳ制御の流れを示す図である。
【図６】本発明の一実施形態による、図５に示すＩＰ−ＣＡＮローミングに基づいてＧＧＳＮを経由して入出するデータのスクリーニング用のスクリーニング規則を取得するために、ホームＩＭＳがサービス層アプリケーションサーバＨＣＳを起動することを示すフローチャートである。
【図７】本発明の一実施形態による、実施形態中のローミングユーザへ送信されたコンテンツのスクリーニング実施の後続処理を示す図である。上記の図３もしくは図４に示す処理プロセスによってローミングユーザのＨＮのスクリーニング規則が取得され、ＶＮに格納されることに基づく。
【図８】本発明の一実施形態による、実施形態中のローミングユーザへ送信されたコンテンツのスクリーニング実施の後続処理を示す図である。上記の図６に示す処理プロセスにより、ローミングユーザのＶＮのスクリーニング規則が取得され、ＨＮに格納されることに基づく。
【図９】上記の図３もしくは図４に示す処理プロセスにより、ローミングユーザのＨＮのスクリーニング規則が取得されＶＮに格納されることに基づき、取得されたスクリーニング規則を更新するために実行する後続処理を示すフローチャートである。
【図１０】本発明のさらに別の実施形態による、スクリーニング規則を取得し、コンテンツをスクリーニングする処理プロセスを示す図である。
【図１１】本発明の一実施形態による、実施形態中のローミングユーザへ送信されたコンテンツのスクリーニングを実施する後続処理を示す図である。上記の図７に示す処理プロセスによりローミングユーザのＨＮのスクリーニング規則が取得され、ＶＮに格納されることに基づく。
【図１２】ＶＣＳが取得されたスクリーニング規則を削除する実施形態による処理を示す図である。
【図１３】ＶＣＳが取得されたスクリーニング規則を削除する別の実施形態による処理を示す図である。
【図１４】ＷＣＤＭＡ  Ｒ９９システムに実装されたコンテンツのスクリーニング技術のインタフェースを示す図である。
【図１５】本発明の一実施形態により、コンテンツのスクリーニング技術がＩＭＳベースのネットワーク構成に実装されたインタフェースを示す図である。
【図１６】コンテンツのスクリーニング技術がＷＣＤＭＡ  Ｒ９９システムに実装されていることを示す図である。
【図１７】本発明の上記実施形態の実装結果によるシステム構造およびそのＶＣＳとＨＣＳ内部の処理構造を示す図である。
【発明を実施するための形態】
【００２７】
既存の無線通信ネットワーク技術において、ローミングユーザのコンテンツを処理するための処理モードが主として２つある。第１のモードでは、ローミングユーザが受信するコンテンツは、ホームネットワークそして訪問先ネットワークによって順番に処理される。一方、ローミングユーザが送信するコンテンツは訪問先ネットワークそしてホームネットワークによって順番に処理される。第２のモードでは、ローミングユーザが受信および／または送信するコンテンツは、訪問先ネットワークでのみ処理される。従来技術においては、ユーザが受信するコンテンツは第１のモードでしか処理されない。従って、ネットワークの処理リソースの浪費および処理時間の大きな遅延を生ずるという問題がある。一方、第２のモードに関しては、ローミングユーザの受信および／または送信コンテンツのスクリーニングを実装するための解決法はまだ得られていない。
【００２８】
本発明の実施形態では、ユーザの受信および／または送信コンテンツをスクリーニングするために使用される、ローミングユーザのホームネットワークのスクリーニング規則を、ローミングユーザがいる訪問先ネットワークへ同時に取得して、ローミングユーザの受信および／または送信コンテンツのスクリーニング処理を訪問先ネットワークで直接実施することが可能であり、その結果として、上記の第１のローミングモードのようなネットワーク処理リソースの浪費および処理の長時間遅延を回避することができるばかりでなく、上記の第２のローミングモードへの実装も可能である。さらに、ユーザの受信および／または送信コンテンツをスクリーニングするために使用する、ローミングユーザの訪問先ネットワークのスクリーニング規則を、ローミングユーザのホームネットワークへも同時に取得でき、それ故にホームネットワークにおいてローミングユーザの受信および／または送信コンテンツのスクリーニング処理を直接実施し、結果として上記第１のローミングモードの場合におけるネットワークリソースの浪費および処理の長時間遅延という問題を回避できる。そしてこれはＩＭＳのホームドメイン制御原理に合致する。
【００２９】
特に上記の処理を実装する解決法は以下のプロセスを含んでいる。すなわち、ユーザの受信および／または送信コンテンツをスクリーニングするのに使用される、ローミングユーザの第１のネットワークのスクリーニング規則を、このローミングユーザの第２のネットワークによって取得するステップと、スクリーニング規則に従って、ローミングユーザの受信および／または送信コンテンツをスクリーニングするステップと、を含む。特に、第２のネットワークが訪問先ネットワークである場合には、第１のネットワークはホームネットワークであり、もしくは、第２のネットワークがホームネットワークである場合には、第１のネットワークは訪問先ネットワークである。説明を簡単にするために、以下の記述では第１のネットワークがホームネットワークであり、第２のネットワークが訪問先ネットワークである場合を例にとる。
【００３０】
ローミングユーザがいる訪問先ネットワークにより、ローミングユーザのホームネットワークから取得されるスクリーニング規則は、すべての受信および／または送信コンテンツのために使用されるホームネットワークのスクリーニング規則（ここでは共通規則と定義する）である。ローミングユーザのホームネットワークにおいて、対応するコンテンツスクリーニング加入者によりそのユーザ用に設定された別のスクリーニング規則がある場合には、訪問先ネットワークにより取得されるスクリーニング規則には、さらにそのユーザ用にコンテンツスクリーニング加入者が設定したスクリーニング規則（ここでは個人規則と定義する）も含まれる。ローミングユーザのホームネットワークと訪問先ネットワークとが同一の共通規則を使用することに合意できている場合には、訪問先ネットワークがホームネットワークから取得するスクリーニング規則には、対応する個人規則だけが含まれる。
【００３１】
好ましくは、次の２つの場合（ただしこれに限定するものではないが）には、ローミングユーザがいる訪問先ネットワーク（ＶＮ）は、ユーザのホームネットワーク（ＨＮ）から初めてスクリーニング規則を取得する。
【００３２】
第１の場合：ＶＮは、その時の信号伝達のやり取りからユーザが自分のネットワーク内でローミングしていることが了解すると、ＨＮからスクリーニング規則を取得する操作を起動する。
【００３３】
第２の場合：ローミングユーザが授受するコンテンツを初めて受信すると、ＶＮが関連するコンテンツを訪問先ネットワークコンテンツスクリーニングサーバ（ＶＣＳ）へ送信し、コンテンツのスクリーニングを要求する。ユーザがローミングユーザであることを検出し、そのユーザのホームネットワークのスクリーニング規則がまだ取得できていない場合、ＶＣＳがＨＮからスクリーニング規則を取得する操作を起動する。
【００３４】
以下の説明を容易にするために、ホームネットワークコンテンツスクリーニングサーバＨＣＳとホームネットワークＨＮは、互いに分離した２つの処理エンティティとして記述する。しかしこれは説明のためだけであり、ＨＣＳは依然ＨＮのネットワーク要素である。同様に、ＶＣＳと訪問先ネットワークＶＮもまた、互いに分離した２つの処理エンティティとして記述するが、ＶＣＳは依然ＶＮのネットワーク要素である。
【００３５】
図３は本発明の実施形態による、スクリーニング規則を取得する処理プロセスを示す図である。特に、処理プロセスは以下のようである。
【００３６】
Ｓ１０．（たとえばＭＳＣ間のハンドオフ、ＰＤＳＮ間のハンドオフ、ＳＧＳＮ間のハンドオフなどの）パワーオン登録、ドーマントハンドオフ（ｄｏｒｍａｎｔ  ｈａｎｄｏｆｆ）登録、音声／データサービスハンドオフ・インなどの一連の操作や、ユーザの同様の処理を行うとき、 ＶＮはユーザのＨＮアドレスの構文解析を行い、これによりユーザがローミングユーザであるかどうかを判定し、また一方で、この操作によって、そのローミングユーザがローミング状態でこのネットワークと信号交換するのが初めてかどうかを判定する。
【００３７】
Ｓ１１．ＶＮはホームネットワークからユーザのスクリーニング規則を取得するようにＶＣＳへ通知する。特に、ＶＮが送信する通知メッセージには、ユーザ識別子とそのＨＮのアドレスが付けられている。
【００３８】
Ｓ１２．ＶＮから送信された通知に付属したユーザ識別子に従って、ＶＣＳがユーザのローミング状態記録表を検索する。ユーザの記録が検出されない場合は、ユーザのＨＮからユーザのスクリーニング規則を取得する必要があることを意味する。ユーザの記録が検出された場合には、ユーザのスクリーニング規則はユーザのＨＮからすでに取得済みであることを意味し、Ｓ１３を実行後に処理は終了する。
【００３９】
Ｓ１３．ＶＣＳがＶＮへ応答を返し、上記Ｓ１１の通知メッセージを受信したことをＶＮへ通知する。応答を受信しない場合には、ある時間を置いてＶＮは上記Ｓ１１の通知メッセージを再送信しなければならない。所定の回数、通知メッセージを繰り返し送信しても応答が得られない場合には、処理の終了を選択してもよい。
【００４０】
Ｓ１４．ＶＮから送信された通知メッセージにあるＨＮのアドレスに従って、ＶＣＳがユーザのＨＮへコンテンツスクリーニング規則を要求する。特に、この要求メッセージにはユーザ識別子とＶＣＳのアドレスが付いている。
【００４１】
Ｓ１５．ＨＮはＶＣＳから送信された要求メッセージを構文解析して、コンテンツスクリーニング規則の要求メッセージであることを了解する。そして、要求メッセージに付属したユーザ識別子に従って、ローミングアウトしたユーザ記録表にこのユーザの記録があるかどうかを検索する。そのような記録がない場合には、ユーザの記録を追加し、その後、ＨＮが受信した要求メッセージをホームネットワークコンテンツスクリーニングサーバ（ＨＣＳ）へ転送する。
【００４２】
Ｓ１６．受信した通知に付属したユーザの識別子に従って、ＨＣＳがユーザのローミング状態記録表を検索する。ユーザのローミング状態記録が検出されない場合には、ユーザのローミング状態記録が追加され、そのローミング識別子がローミングアウトとして設定され、その一方で受信された要求メッセージに付いているＶＣＳのアドレスが格納される。 ユーザのローミング状態記録の中のローミング識別子がローミングアウトであるが、対応して格納されているＶＣＳのアドレスが受信した要求メッセージに付属したＶＣＳアドレスとは異なることをＨＣＳが検出した場合、これは、以前格納されたＶＣＳアドレスに対応するＶＮから、受信したＶＣＳアドレスに対応するＶＮへ、このユーザが既にローミングしていることを意味する。その場合、ＨＣＳは以前格納したＶＣＳアドレスを今回受信したＶＣＳアドレスに置き換える。 また、ユーザのローミング状態記録の中のローミング識別子が非ローミングであることが検出された場合には、これはユーザがＨＮからＶＮへ直接ローミングしたことを意味し、ローミング識別子をローミングアウトとして設定し、受信したＶＣＳアドレスを格納する。
【００４３】
ＨＣＳはまた、ユーザ用に個人スクリーニング規則が設定されているかどうかを検出する必要がある。このユーザに対して個人規則が設定されている場合には、ユーザに対応する個人規則を検出することも必要である。
【００４４】
Ｓ１７．すべてのコンテンツをスクリーニングするのに使用されるＨＣＳ自身の共通規則を、ＨＣＳがＶＣＳへフィードバックする。また、ＨＣＳがユーザの個人スクリーニング規則を検出した場合には、検出した個人規則もさらにＶＣＳへフィードバックする必要がある。そして一方ではフィードバックメッセージにはユーザ識別子およびＨＳＣのアドレスが添付される。
【００４５】
このフィードバックメッセージが受信されなかった場合には、ＶＣＳはある時間を置いて上記Ｓ１４の要求メッセージを再送信しなければならない。所定の回数、要求メッセージを繰り返し送信してもＨＣＳから送信されるフィードバックメッセージが受信されなかった場合には、ＶＣＳは処理の終了を選択してもよい
【００４６】
Ｓ１８．ＶＣＳは要求に従って、受信したスクリーニング規則を処理し、ユーザ識別子とスクリーニング規則をそれぞれ対応するように規則データベース中に格納する。他方で、ＶＣＳはユーザの記録をユーザローミング状態表に追加し、ＨＣＳのアドレスをユーザ識別子に対応するように格納する。そしてユーザのローミング識別子をローミングインに設定する。ＶＣＳが受信したスクリーニング規則を以下の方法で、ただしこれに限定するものではないが、処理する。
【００４７】
第１に、ＶＣＳとＨＣＳがスクリーニング規則の記述に同一の構文（Ｓｙｎｔａｘ）を採用している場合には、構文の同定および変換を実行する必要はない。また、ＶＣＳとＨＣＳがスクリーニング規則の記述に異なる構文を採用している場合には、受信したスクリーニング規則の同定および変換を実行し、ＶＣＳとＨＣＳが構文規則を相互に理解できるようにする必要がある。第２に、セマンティクスに関しては、キーワードが直接使用される。ＶＣＳとＨＣＳが同じ分類および階層方式を採用している場合には、受信したスクリーニング規則に対してセマンティクスの同定および変換を実行する必要はない。ＶＣＳとＨＣＳが異なる分類および階層方式を採用している場合には、受信したスクリーニング規則に対してセマンティクスの同定および変換処理を実行する必要がある。
【００４８】
ＶＣＳは取得したスクリーニング規則あるいは変換されたスクリーニング規則を自身のスクリーニング規則とは分離して格納し、そのあとのスクリーニング処理にこれらの規則を順番に採用する。（まず自分自身のスクリーニング規則を実行し、次いで取得したスクリーニング規則、もしくは変更したスクリーニング規則を実行する。あるいは、最初に取得したスクリーニング規則、もしくは変更したスクリーニング規則を実行し、次いで自分自身のスクリーニング規則を実行してもよい。）一方では、ＶＣＳの共通スクリーニング規則を、取得したＨＣＳのスクリーニング規則もしくは変更したＨＣＳのスクリーニング規則と結合し、この結合したスクリーニング規則に基づいて、ローミングユーザの受信および／または送信コンテンツに対してスクリーニング処理を実施してもよい。
【００４９】
図4は本発明の別の実施形態による、スクリーニング規則及びスクリーニングコンテンツを取得する処理プロセスを示す図である。特に、処理プロセスは以下のようになる。
【００５０】
Ｓ２０．ローミングユーザの受信および／または送信コンテンツを初めて受信したとき、訪問先ネットワークは、ユーザ識別子に従ってローミングアウトユーザ記録表を検索し、ユーザの記録が見つからない場合には受信コンテンツおよびユーザ識別子をＶＣＳへ送信し、ＶＣＳにコンテンツのスクリーニングの実施を要求する。
【００５１】
Ｓ２１．ＶＣＳは、受信したユーザ識別子に従ってユーザローミング状態記録表を検索する。ユーザの記録が検出されない場合には、ＨＮのアドレスをＶＮから取得する必要があると判定される。
【００５２】
Ｓ２２．ＶＣＳがユーザのＨＮアドレスを要求する。特に、要求メッセージにはユーザ識別子が付属している。
【００５３】
Ｓ２３．ユーザ識別子に従って、ＶＮがユーザのＨＮアドレスを検索し、検出したＨＮアドレスをＶＣＳへ返す。
【００５４】
Ｓ２４．ＶＮからフィードバックされたユーザのＨＮアドレスを受信すると、ＶＣＳはこのユーザがローミングインユーザであると判定する。そしてユーザＨＮからコンテンツスクリーニング規則を取得することが必要となる。
【００５５】
ユーザがローカルユーザであると判定されると、ユーザローミング状態記録表にユーザ記録が追加され、ローミング識別子が非ローミングとして設定され、処理が終了し、考え得る個人スクリーニング規則と一致しているＶＣＳの共通規則がスクリーニングに直接使用され、結果が返される。
【００５６】
後続のＳ２５〜Ｓ２９の処理プロセスは前記の図３に示した処理プロセス中のＳ１４〜Ｓ１８と同一もしくは類似している。具体的な説明は前に詳述しているのでここでは繰り返さない。
【００５７】
Ｓ３０．ＶＣＳは、ユーザの識別子に従ってローミング状態のユーザが遵守しなければならないスクリーニング規則（ＨＮでの受信および／または送信コンテンツに関してユーザが遵守しなければならないスクリーニング規則を含む。さらには、ＶＣＳにすべての受信および／または送信コンテンツをスクリーニングするためのＶＣＳスクリーニング規則がある場合には、すべての受信および／または送信コンテンツをスクリーニングするためのＶＣＳスクリーニング規則も含む）のすべてを規則データベースから見つけ出し、この見つけ出したスクリーニング規則を使用して、初めてのローミングユーザの受信および／または送信コンテンツに対してスクリーニング処理を実施する。その一方で、ＶＣＳは、コンテンツスクリーニング処理を実行した現在時刻を、最新の実行時間として記録する。
【００５８】
Ｓ３１．ＶＣＳはスクリーニングしたコンテンツおよびユーザ識別子をＶＮへ送信する。（特に、ＶＣＳはスクリーニングしたコンテンツを、コンテンツを送信してきた設備へ直接フィードバックしてもよいし、あるいは、コンテンツ送信機能を有するＶＮ中のそのほかの設備へフィードバックしてもよい。）
【００５９】
さらに３ＧＰＰのＲ５およびＲ６では、ＩＭＳがすべてのＩＰ化されたネットワークを支援するマルチメディアサービスのコアネットワークとして既に規定されており、任意のタイプの移動あるいは固定、有線あるいは無線の、ＩＰ接続を提供するアクセス・ネットワーク（ＩＰ−ＣＡＮ：ＩＰ  Ｃｏｎｎｅｃｔｉｖｉｔｙ  Ａｃｃｅｓｓ  Ｎｅｔｗｏｒｋｓ）をサポートすることができる。ＩＭＳドメインはローミング特性を有している。ユーザがどこでネットワークにアクセスしようとも、ユーザはホームのサービング呼セッション制御機能（Ｓ−ＣＳＣＦ）に戻って、ＩＭＳローミングあるいはＩＰ−ＶＡＮローミングによるサービスを受けることができる。
【００６０】
図５に示すように、１つのタイプは上記の第２のローミングモードに基づいている。図中に点線（２）で示すように、ユーザは訪問先ＩＰ−ＣＡＮに属している（ＧＰＲＳを例にとると、データは訪問先ＳＧＳＮ、ＧＧＳＮを介してアクセスされる）。ユーザは訪問先のプロキシ呼セッション制御機能（Ｐ−ＣＳＣＦ）を介してＩＭＳネットワークへアクセスする。データパスはすべて訪問先ネットワークにあるので、ホームネットワークの対応するスクリーニング規則を訪問先ネットワークへ取得する、前述の方法を実装しなければならない。ＩＭＳネットワークに関しては、スクリーニングアプリケーションサーバを制御する機能を有する、訪問先Ｐ−ＣＳＣＦを追加することができる。別のタイプは、前記の第１のローミングモードに基づいている。図中に点線（１）で示すように、ユーザはホームＩＰ−ＣＡＮに属している（訪問先ＳＧＳＮおよびホームＧＧＳＮを介して）。ＩＭＳユーザはホームＰ−ＣＳＣＦを介してＩＭＳネットワークへアクセスする。この場合は大変便利で適応性が高い。従来技術、および訪問先ネットワークにより適用される規則を取得する方法、の両者を使用することができ、ホームネットワークにより適用される規則を取得する方法もまた使用可能である。
【００６１】
すなわち、本発明の実施形態が提案するのは以下のとおりである。ユーザの受信および／または送信コンテンツをスクリーニングするために使用する、ローミングユーザの訪問先ネットワークのスクリーニング規則が、ローミングユーザのホームネットワークにより同時に取得でき、そうしてローミングユーザの受信および／または送信コンテンツのスクリーニング処理をホームネットワークにおいて直接実施し、結果として上記第１のローミングモードの場合におけるネットワークリソースの浪費および処理の長時間遅延が生ずる問題を回避できる。そしてこれはＩＭＳのホームドメイン制御原理に合致する。
【００６２】
図６は、ホームＩＭＳがサービス層アプリケーションサーバＨＣＳを起動して、ＧＧＳＮを経由して出入りするデータを、図５に示すようなＩＰ−ＣＡＮローミングに基づいてスクリーニングさせるフローチャートを示す。これは特に以下のステップを含む。
【００６３】
Ｍ６１．ユーザが初回登録に成功した後、Ｈ−ＩＭＳ（ホームＩＭＳ）がダウンロードされたユーザのスクリーニング規則をチェックする。これはサービスアプリケーション実行のためにアプリケーションサーバへの登録制御に使用される。
【００６４】
Ｍ６２．Ｈ−ＩＭＳが、スクリーニング規則に従って第三者登録要求を生成し、第三者登録要求をＨＣＳへ送信する。特に、登録要求にはユーザ識別子が付いており、好ましくは登録要求には、ＶＣＳアドレスかＶＮ  ＩＭＳアドレス、もしくはユーザがローミング状態にあることを示すそのほかの識別子が付いている。
【００６５】
Ｍ６３．登録要求を受信すると、ＨＣＳが２００（ＯＫ）応答をＨ−ＩＭＳへ返す。
【００６６】
Ｍ６４．Ｍ６２のプロセスにおいて登録要求にＶＣＳアドレスもしくはＶＮ  ＩＭＳアドレスが付属している場合、ＨＣＳがコンテンツスクリーニング規則をＶＣＳに対して直接あるいはＶＮ  ＩＭＳを介して要求する。特に、この要求にはユーザ識別子が付属しており、ＨＣＳアドレスも付属している。特に、Ｍ６２プロセスで登録要求にＶＣＳアドレスもＶＮ  ＩＭＳアドレスも付属していない場合には、３つの状況がそれぞれ発生する。
【００６７】
ＨＣＳに対して、ユーザがローミング中であることが示されてもＶＮ  ＩＭＳアドレスもＶＣＳアドレスも提供されない場合には、ＨＣＳはＨＳＳ（ホーム加入者サーバ）からＶＮ  ＩＭＳアドレスかＶＣＳアドレスを取得する必要があり、従って、プロセスＭ６４の操作を実行する。
【００６８】
ユーザがローミング中かどうかがＨＣＳに対し示されていない場合には、ＨＣＳはユーザがローミング中かどうかをＨＳＳから取得し、ローミング中であればＶＮ  ＩＭＳアドレスかＶＣＳアドレスを入手する必要があり、ユーザがローミング中であるとの判定と同時に、プロセスＭ６４の操作を実行する必要がある。
【００６９】
ユーザがローミング中ではないことがＨＣＳに対し示されれば、あるいは過去の状況からユーザがローミング中ではないと判定されれば、ユーザに対応するスクリーニング規則はＨＮのコンテンツスクリーニング規則のみを含み、前述の訪問先のスクリーニング規則は含まれていないことが確認される。
【００７０】
Ｍ６５．ＶＣＳは共通コンテンツスクリーニング規則を取りだして、ユーザ識別子およびＨＣＳアドレスを対応させて格納する、あるいは、ユーザ識別子をＨＣＳの対応するリストに追加する。
【００７１】
Ｍ６６．ＶＣＳが共通コンテンツスクリーニング規則をＨＣＳへ返す。そこにはユーザ識別子およびＶＣＳアドレスが付いている。
【００７２】
Ｍ６７．ＨＣＳが受信したコンテンツスクリーニング規則を必要に応じて処理し、ユーザ識別子、ＶＣＳアドレス、スクリーニング規則を規則データベース中に対応させて格納する。特に、受信したスクリーニング規則をＨＣＳが処理するプロセス（構文およびセマンティクスを変換することや、取得したスクリーニング規則や変換されたスクリーニング規則を、次のスクリーニングで個別に実行できるように自分自身のスクリーニング規則とは分離して格納することや、自分自身のスクリーニング規則と結合させて次のスクリーニングで使用できるように格納すること等）は、図３に示したプロセスＳ１８の対応する部分と同様である。具体的な説明は詳細に前述したのでここでは繰り返さない。
【００７３】
図７は実施形態中のローミングユーザへ送信されたコンテンツのスクリーニングのために実施される後続処理を示す図である。これは上記の図３、あるいは図４に示す処理プロセスに基づいてローミングユーザのＨＮのスクリーニング規則が取得され、ＶＮに格納されることを基本としている。具体的には：
【００７４】
Ｓ４０．コンテンツリソース（ＣＲ）はコンテンツおよび受信ユーザ識別子をＶＮへ直接送信する（本発明の第２のローミングモード利用参照）。もしくは、ＣＲがまずコンテンツおよび受信ユーザ識別子をＨＮへ送信し、次いでＨＮがユーザ識別子に従ってローミングアウトユーザ記録表を検索し、ユーザ記録が検出されればそのユーザがほかのネットワークへローミングしていることが分かり、ＣＲからユーザに送信されたコンテンツに関してＨＣＳのスクリーニングを直接遮断し、そうしてＣＲから送信されたコンテンツおよび受信ユーザ識別子を、ユーザがローミングしているＶＮへ直接転送する（本発明の第1のローミングモードの利用参照）。
【００７５】
Ｓ４１．ＶＮがローミングアウトユーザ記録表を検索し、ＨＮから送信されたコンテンツおよびユーザ識別子をＶＣＳへ転送し、ユーザ記録が検出されない場合にはＶＣＳにコンテンツのスクリーニングを要求する。ＣＲから送られた受信ユーザの識別子をＶＣＳが認識できない場合には、ＶＮが、ＣＲから送られた受信ユーザの識別子に従って、ＶＣＳの認識可能な対応するユーザ識別子を探してＶＣＳへ送信する必要がある。
【００７６】
Ｓ４２．ＶＣＳは、受信したユーザ識別子に従ってローミングユーザ状態記録表を検索する。ローミングユーザ記録が既に記録されており、そのローミング識別子がローミングインである場合には、ユーザ識別子に従ってローミング中のユーザが遵守しなければならないすべての該当するスクリーニング規則（これには、ＨＮでコンテンツを受信および／または送信するのにユーザが遵守しなければならないスクリーニング規則を含む。またＶＣＳにすべての受信および／または送信コンテンツをスクリーニングするためのＶＣＳ規則がある場合には、すべての受信および／または送信コンテンツをスクリーニングするためのＶＣＳ規則もさらに含む）を、規則データベースから見つけ出す。
そして、見つけ出したスクリーニング規則を使って、毎回ローミングユーザの受信および／または送信コンテンツに対してスクリーニング処理を実施する。その一方で、ＶＣＳは、コンテンツスクリーニング処理が実施されるごとに現在時刻を、最新の実行時間として記録する。
【００７７】
Ｓ４３．ＶＣＳはスクリーニングしたコンテンツおよびユーザ識別子をＶＮへ送信する。（特に、ＶＣＳはスクリーニングしたコンテンツを、コンテンツを送信してきた設備へ直接フィードバックしてもよいし、あるいは、コンテンツ送信機能を有するＶＮ中のそのほかの設備へフィードバックしてもよい。）
【００７８】
Ｓ４４．ＶＮが受信ユーザ識別子に従って受信アドレスを判定し、スクリーニング済みコンテンツを所要データパケットフォーマットへカプセル化して、それを受信ユーザ（ユーザ）へ送信する。
【００７９】
図８は実施形態中のローミングユーザへ送信されたコンテンツをスクリーニングするための後続処理を示す図である。これは、上記の図６に示す処理プロセスに基づいてローミングユーザのＶＮのスクリーニング規則が取得され、ＨＮに格納されることを基本としており、特に以下のプロセスを含んでいる。
【００８０】
Ｍ８０．ＣＲは、コンテンツおよびユーザ識別子を（ホームネットワークのＧＧＳＮなどの）ＨＮへ直接送信する。
【００８１】
Ｍ８１．ＨＮは受信したコンテンツおよびユーザ識別子をＨＣＳへ送信し、ＨＣＳにユーザコンテンツのスクリーニングを要求する。
【００８２】
Ｍ８２．ＨＣＳは、ローミング中のユーザが遵守しなければならないすべてのスクリーニング規則を、ユーザ識別子に従って規則データベースの中から見つけ出す。そして、見つけ出したスクリーニング規則を使って、その都度、ローミングユーザの受信および／または送信コンテンツに対してスクリーニング処理を実施する。その一方で、ＨＣＳは、コンテンツスクリーニング処理を実施する度に現在時刻を、最新の実行時間として記録する。
【００８３】
Ｍ８３．ＨＣＳがスクリーニング済みコンテンツおよびユーザ識別子をＨＮへ送信する。
【００８４】
Ｍ８４．ＨＮが受信ユーザ識別子に従ってＶＮ  ＳＧＳＮアドレスを判定し、スクリーニング済みコンテンツを所要データパケットフォーマットへカプセル化して、それをＶＮ  ＳＧＳＮへ送信する。
【００８５】
Ｍ８５．ＶＮがコンテンツを受信ユーザ（ユーザ）へ送信する。
【００８６】
図９は、上記の図３もしくは図４に示す処理プロセスにより、ローミングユーザのＨＮのスクリーニング規則が取得されＶＮに格納されることに基づき、取得されたスクリーニング規則を更新するために実行する後続処理を示すフローチャートである。特に後続のプロセスにおいては、すべての受信および／または送信コンテンツをスクリーニングするための自分自身のスクリーニング規則（共通規則）が変更されている場合、および／またはローミングユーザ用の個人スクリーニング規則が変更されている場合に、ＨＣＳがスクリーニング規則更新操作を起動させる（Ｓ５０）。ＨＳＣが、スクリーニング規則の変更は、ローミング識別子がローミングアウトであるローミングユーザ状態記録表中のすべてのユーザに影響することを判断し、対応して格納されているＶＣＳアドレスに従って、変更されたスクリーニング規則をＶＣＳへ送信し、現在格納されているＨＮのスクリーニング規則の更新をＶＣＳに要求する。このとき更新要求メッセージにはローミングユーザ識別子が付属している（Ｓ５１）。ＶＣＳは受信したユーザ識別子に従って規則データベースを検索し、規則データベースに現在格納されているＨＮスクリーニング規則を、受信した変更済みスクリーニング規則に基づいて更新する。ＶＣＳが更新成功応答をＨＣＳに返す。この応答メッセージを受信しない場合には、ＨＣＳはある時間を置いて上記Ｓ５１の更新要求メッセージを再送信してもよい。所定の回数、更新要求メッセージを繰り返し送信しても、なおＶＣＳからフィードバックされる応答が受信されない場合には、ＨＣＳは更新要求メッセージの送信終了を検討してもよい（Ｓ５３）。
【００８７】
同様に、ＶＣＳとＨＣＳを相互に入れ替えれば、図９は、取得されたスクリーニング規則を更新するために実行する後続処理を示すフローチャートとなる。これは、図６に示す処理プロセスによってローミングユーザのＶＮのスクリーニング規則が取得されＨＮに格納されることに基づいている。ＶＣＳは、すべての受信および／または送信コンテンツをスクリーニングするための自身のスクリーニング規則（共通規則）が変更されていることを検知すると、スクリーニング規則更新操作を起動させる（Ｓ５０）。ＶＣＳが、対応して格納されているＨＣＳのアドレスに従って、変更済みのスクリーニング規則をＨＣＳに送信し、現在格納されているＶＮのスクリーニング規則を更新するようにＨＣＳに要求する（Ｓ５１）。
【００８８】
図１０は、本発明のさらに別の実施形態による、スクリーニング規則を取得し、コンテンツをスクリーニングする処理プロセスを示す図である。特に、スクリーニング規則をＶＣＳへフィードバックするときに一緒にフィードバックされる、スクリーニング規則に対応する規則識別子もまたＨＣＳがフィードバックすることを除けば、Ｓ６０〜Ｓ７４の全体の処理プロセスは、前記図４の処理プロセスＳ２０〜Ｓ３１と同様である。そして、ＨＣＳから送信されたスクリーニング規則を格納するときに、そのスクリーニング規則に対応する規則識別子もＶＣＳは格納する。特に、スクリーニング規則識別子は規則のＩＤであり、もしくはまた対応する規則ＩＤと更新時間情報あるいは類似のものとの組合せに由来する識別子であり、一意的に規則を表すことができる。規則識別子は、必ずしも本実施形態の規則取得方法に限定されて関連付けられているわけではない。ローミングユーザがほかのケースで初回検知された場合に起動させられる規則取得法において使用されてもよい。また同時に、Ｓ２０〜Ｓ３１と比較すると、この実施形態は明らかに自分自身のスクリーニング規則をまず実行し、その間にＨＣＳのスクリーニング規則を取得し、次いで取得された、あるいは変更されたスクリーニング規則を実行する。
【００８９】
図１１は、一実施形態における、ローミングユーザへ送信されたコンテンツのスクリーニングのために実行される後続処理を示す図である。これは上記の図１０に示す処理プロセスによりローミングユーザのＨＮのスクリーニング規則が取得され、ＶＮに格納されることに基づいている。具体的には以下のようである。
【００９０】
Ｓ８０．コンテンツリソース（ＣＲ）はコンテンツおよび受信ユーザ識別子をＶＮへ直接送信する（本発明の第２のローミングモードの利用参照）。もしくは、ＣＲがまずコンテンツおよび受信ユーザ識別子をＨＮへ送信し、次いでＨＮがユーザ識別子に従ってローミングアウトユーザ記録表を検索し、ユーザ記録が検出されればそのユーザがほかのネットワークへローミングしていることが分かり、ＣＲからユーザに送信されたコンテンツに関してＨＣＳのスクリーニングを直接隠蔽し、そうしてＣＲから送信されたコンテンツおよび受信ユーザ識別子を、ユーザがローミングしているＶＮへ直接転送する（本発明の第1のローミングモードの利用参照）。
【００９１】
Ｓ８１．ＶＮがローミングアウトユーザ記録表を検索し、ユーザ記録が検出されない場合には、ＨＮから送信されたコンテンツおよびユーザ識別子をＶＣＳへ転送し、ＶＣＳにコンテンツのスクリーニングを要求する。ＣＲから送られた受信ユーザの識別子をＶＣＳが認識できない場合には、ＶＮは、ＣＲから送られた受信ユーザの識別子に従って、ＶＣＳが認識可能な対応するユーザ識別子を探してＶＣＳへ送信する必要がある。
【００９２】
Ｓ８２．ＶＣＳが受信したユーザ識別子に従って、ローミングユーザ状態記録表を検索し、ローミングユーザ記録が既に記録されており、そのローミング識別子がローミングインである場合には、ＶＣＳが対応するコンテンツスクリーニング規則をＨＣＳから既に取得済みであることを示している。
【００９３】
Ｓ８３．ＶＣＳが、格納されたユーザ識別子と、獲得されたコンテンツスクリーニング規則に対応して格納された規則識別子とを抽出し、それらをＨＣＳへ送信する。
【００９４】
Ｓ８４．ＶＣＳはまず、すべての受信および／または送信コンテンツをスクリーニングするための自分自身のスクリーニング規則を使って、ＣＲから送信されたコンテンツをスクリーニングする。
【００９５】
Ｓ８５．ＨＣＳは、ＶＣＳから送信されたユーザ識別子に従って、ユーザに対応して格納されたスクリーニング規則識別子を照合し、そして見つけ出されたスクリーニング規則識別子がＶＣＳから送信されたスクリーニング規則識別子と同一かどうかを判定するための比較を実行する。比較した結果、異なっている場合には、ＨＣＳ内のスクリーニング規則は既に更新されていることを示している。
【００９６】
Ｓ８６．ＨＣＳは更新されたスクリーニング規則とそれに対応する規則識別子を抽出し、それからＶＣＳに規則更新応答を返す。ここで、規則更新応答には、ユーザ識別子、更新済みスクリーニング規則、およびその対応する規則識別子とが付属している。上記のＳ８５の比較結果が異なっていれば、ＨＣＳは、規則非更新応答メッセージをＶＣＳにフィードバックする。この応答メッセージを受信しない場合には、ＶＣＳはある時間を置いて上記Ｓ８３の要求メッセージを再送信してもよい。所定の回数、メッセージを繰り返し送信してもなおＨＣＳからのフィードバックされる応答を受信しない場合には、ＶＣＳはＳ８８および後続のプロセスを続けるために、メッセージ送信の終了を検討してもよい。
【００９７】
Ｓ８７．ＶＣＳは、ＨＣＳからフィードバックされた新スクリーニング規則および対応するその新規則識別子とに基づいて、対応するローカル記録を更新する。
【００９８】
Ｓ８８．ＶＣＳは、ローカル規則データベースから、ユーザ識別子に従ってユーザが使用する必要があるＨＮの最新のコンテンツスクリーニング規則を見つけ出し、この見つけ出したＨＮのスクリーニング規則に基づいて、ＣＲから送信されたコンテンツをスクリーニングする。その一方で、ＶＣＳはまた、コンテンツスクリーニング処理が実施されるごとに現在時刻を、最新の実行時間として記録する。
【００９９】
Ｓ８９．ＶＣＳはスクリーニングしたコンテンツおよびユーザ識別子をＶＮへ送信する。（特に、ＶＣＳはスクリーニングしたコンテンツを、コンテンツを送信してきた設備へ直接フィードバックしてもよいし、あるいは、コンテンツ送信機能を有するＶＮ中のそのほかの設備へフィードバックしてもよい。）
【０１００】
Ｓ９０．ＶＮが受信ユーザ識別子に従って受信アドレスを判定し、スクリーニング結果を所要データパケットフォーマットへカプセル化して、それを受信ユーザ（ユーザ）へ送信する。
【０１０１】
図１２は、ＶＣＳが取得されたスクリーニング規則を削除する実施形態による処理を示す図である。具体的には、以下のようである。
【０１０２】
Ｓ１００．ローミングユーザの受信および／または送信コンテンツを最後にスクリーニングしてからの経過時間が、所定の長さを越えていることが検知されると、ＶＣＳはユーザのローミング状態記録表からユーザのローミング状態記録を削除する。ローミング状態記録には、ユーザ識別子、ローミング識別子、ＨＣＳアドレス、最新の実行時間が含まれており、またスクリーニング規則に対応する規則識別子も含まれている。一方、規則データベースからユーザ記録も削除するべきである。この記録にはユーザ識別子とそれに対応するスクリーニング規則が含まれている。
【０１０３】
Ｓ１０１．ＶＣＳが、ユーザローミング状態記録表からユーザのローミング状態記録を削除するようにＨＣＳへ通知する。この通知メッセージにはユーザ識別子とＶＣＳアドレスが付属している。
【０１０４】
Ｓ１０２．ＨＣＳが、ユーザ識別子に従って、ユーザローミング状態記録表の中のユーザローミング状態記録を検索する。ローミング状態記録の中のローミング識別子がローミングアウトでかつ記録されたＶＣＳアドレスが受信したＶＣＳアドレスと同じ場合は、そのローミング状態記録を削除する。ローミング状態記録の中のローミング識別子がローミングアウトでかつ記録されたＶＣＳアドレスが受信したＶＣＳアドレスと異なる場合は、ユーザは既に新しいＶＮへローミングしていることを示す。そしてローミング状態記録の中のローミング識別子が非ローミングである場合は、ユーザは既にＨＮへ戻っていることを示す。
【０１０５】
Ｓ１０３．ＨＣＳが削除成功応答をＶＣＳへ返す。この応答メッセージを受信しない場合には、ＶＣＳはある時間を置いて上記Ｓ１０１の通知メッセージを再送信してもよい。所定の回数、メッセージを繰り返し送信してもＨＣＳからフィードバックされる応答を受信しない場合には、ＶＣＳは通知メッセージの送信終了を検討してもよい。
【０１０６】
Ｓ１０４．ＨＣＳがローミングアウトユーザ記録表からユーザ記録を削除するようにＨＮへ通知する。ここで通知メッセージにはユーザ識別子が付属している。
【０１０７】
Ｓ１０５．ＨＮが、ユーザ識別子に従ってローミングアウトユーザ記録表の中のユーザ記録を検索し、それを削除する。
【０１０８】
Ｓ１０６．ＨＮが削除成功応答をＨＣＳへ返す。この応答メッセージを受信しない場合には、ＨＣＳはある時間を置いて上記Ｓ１０４の通知メッセージを再送信してもよい。所定の回数、メッセージを繰り返し送信してもＨＮからのフィードバックされる応答を受信しない場合には、ＨＣＳは通知メッセージの送信終了を検討してもよい。
【０１０９】
同様に、ＶＣＳとＨＣＳを相互に入れ替えれば、図１２は、取得されたスクリーニング規則を削除するために実行する後続処理を示すフローチャートとなる。これは、図６に示す処理プロセスによって、ローミングユーザのＶＮのスクリーニング規則が取得されＨＮに格納されることに基づいている。ローミングユーザの受信および／または送信コンテンツを最後にスクリーニングしてからの経過時間が、所定の長さを越えていることが検知されるか、登録解放の実行後にＨ−ＩＭＳから発行された解放メッセージを受信した場合、ＨＣＳがそのユーザに対応するＶＮスクリーニング規則を規則データベースから削除するか、もしくは結合したスクリーニング規則を復元してＨＮスクリーニング規則のみが含まれるようにする。ＨＣＳは、ＶＣＳが保持しているＨＣＳアドレスを削除するようにＶＣＳに通知する。ここで通知メッセージにはユーザ識別子およびＨＣＳアドレスが付属している。ＶＣＳはユーザ識別子に従って記録を削除するか、ユーザ識別子を対応するＨＣＳユーザ識別子リストから削除する。そうして削除成功応答をＨＣＳに返す。図６のスクリーニングサーバはＧＧＳＮの場所に設置されているので、この後ＶＮにユーザ記録を削除するように通知する必要はない。このプロセスがＨ−ＩＭＳにより起動された場合には、対応する応答を返す必要がある。
【０１１０】
図１３は、ＶＣＳが取得されたスクリーニング規則を削除する別の実施形態による処理を示す図である。具体的には以下のとおりである。
【０１１１】
Ｓ１１０．ＶＣＳからスクリーニング規則取得要求メッセージを受信した際に、ユーザのローミング状態記録のローミング識別子がローミングアウトであり、記録されたＶＣＳアドレスが受信した取得要求メッセージに付属してきたＶＣＳアドレスとは一致しないことをＨＣＳが検出した場合は、そのユーザが元のローミング場所から新しいＶＮへ移動してしまったことを意味し、ＨＣＳはＶＣＳに取得したスクリーニング規則を削除するように働きかける。
【０１１２】
また一方で、スクリーニングする必要のあるコンテンツを受信した際に、ＨＣＳがユーザのローミング状態記録の中のローミング識別子が非ローミングであることを検出した場合、これは外部ネットワークでローミングした後にユーザが既にローカルネットワークへ戻ってしまったことを示しており、ＨＣＳはＶＣＳに対し取得したスクリーニング規則を削除するように働きかける。
【０１１３】
Ｓ１１１．ＨＣＳが、ユーザローミング状態記録表からのユーザのローミング状態記録の削除と、規則データベースからのユーザコンテンツスクリーニング規則の削除をするようにＶＣＳへ通知する。特に、通知メッセージはユーザ識別子を含み、ローミング状態記録は、ローミング識別子、ユーザ識別子、ＨＣＳアドレス、最新の実行時間、等の情報を含む。そしてローミング識別子にはさらにローミングイン、ローミングアウトおよび非ローミングが含まれる。
【０１１４】
Ｓ１１２．さらに、ＨＣＳがローミングアウトユーザ記録表からユーザ記録を削除するようにＨＮへ通知する。ここで通知メッセージにはユーザ識別子が付属している。
【０１１５】
Ｓ１１３．ＨＮが、受信した通知メッセージに付いているユーザ識別子に従ってローミングアウトユーザ記録表の中のユーザ記録を削除する。
【０１１６】
Ｓ１１４．ＨＮが削除成功応答をＨＣＳへ返す。この応答メッセージを受信しない場合には、ＨＣＳはある時間を置いて上記Ｓ１１２の通知メッセージを再送信してもよい。所定の回数、メッセージを繰り返し送信してもＨＮからの応答フィードバックを受信しない場合には、ＨＣＳは通知メッセージの送信終了を検討してもよい。
【０１１７】
Ｓ１１５．受信した通知メッセージに付属しているユーザ識別子に従って、ＶＣＳが、ユーザのローミング状態記録表からユーザのローミング状態記録を、また規則データベースからユーザのＨＮコンテンツスクリーニング規則を削除する。
【０１１８】
Ｓ１１６．ＶＣＳが削除成功応答をＨＣＳへフィードバックする。この応答メッセージを受信しない場合には、ＨＣＳはある時間を置いて上記Ｓ１１１の通知メッセージを再送信してもよい。所定の回数、メッセージを繰り返し送信してもＶＣＳからの応答フィードバックを受信しない場合には、ＨＣＳは通知メッセージの送信終了を検討してもよい。
【０１１９】
図１４はＷＣＤＭＡ  Ｒ９９システムに、コンテンツのスクリーニング技術が実装されたインタフェースを示す図である。特に、コンテンツスクリーニングサーバ（ＣＳ）には回線ドメインのＳＳ７アドレスのみならず、パケットドメインのＩＰアドレスも提供される。ＣＳとＳＧＳＮとの間のＣＳ−１インタフェースは、ＧＴＰプロトコル（制御部ＧＴＰ−Ｃおよびユーザ部ＧＴＰ−Ｕを含む）を利用する。ＣＳとＭＳＣ／ＶＬＲとの間のＣＳ−２インタフェースはＳＳ７プロトコルを利用する。ＣＳとＨＬＲとの間のＣＳ−３インタフェースは信号経路を伝達するのみで、一般的にはＳＳ７のＭＡＰプロトコルを利用する。ＣＳとＣＳとの間のＣＳ−４インタフェースは、（制御部ＧＴＰ−Ｃおよびユーザ部ＧＴＰ−Ｕを含む）ＧＴＰプロトコルを利用する。
【０１２０】
図１５は、本発明の一実施形態に従ってコンテンツのスクリーニング技術をＩＭＳベースのネットワーク構成に実装したインタフェースを示す図である。既存のＩＳＣインタフェースは、ＣＳとＣＳＣＦとの間に導入され、既存のＳｈインタフェースはＣＳとＨＳＳとの間に導入される。ＣＳとＩＰ接続アクセス網とはＣＳ−１インタフェースで相互に接続される。ＩＰ接続アクセス網の参照点は特定のネットワーク環境で決定され、ＷＣＤＭＡ／ＧＰＲＳのＧＧＳＮ、ＣＤＭＡ２０００のＨＡおよび類似のものがそれに当たる。ＣＳとＣＳとはＣＳ−４インタフェースを介して接続される。
【０１２１】
図１６は、ＷＣＤＭＡ  Ｒ９９システムに実装されたコンテンツスクリーニング技術を示す図である。システムは４つの主要部に分割できる。すなわち、端末（ユーザを表す）、アクセスネットワーク、コアネットワーク、外部ネットワーク、であり、端末とアクセスネットワーク、コアネットワークとでＷＣＤＭＡ  Ｒ９９システムを構成する。一般的に、端末はアクセスネットワークとはＵｕインタフェースを介して交信し、アクセスネットワークはコアネットワークとＩｕインタフェースを介して交信する。主要なネットワーク構成要素及びインタフェースのみをコアネットワーク中に示す。ここで、ＭＳＣ／ＶＬＲはＣＳ−２インタフェースを介してＣＳと交信し、ＭＳＣ／ＶＬＲはＤインタフェースを介してＨＬＲと交信し、ＧＭＳＣとＨＬＲはＣインタフェースを介して相互に交信し、ＧＭＳＣとＨＬＲはＣインタフェースを介して相互に交信し、ＭＳＣ／ＶＬＲとＧＭＳＣはＧＭＳＣと外部ＰＳＴＮと同様にＴＤＭ（時分割多重）方式で搬送されるＳＳ７信号方式により相互に交信し、ＳＧＳＮとＨＬＲはＧｒインタフェースを介して相互に交信し、ＳＧＳＮはＧｎインタフェースを介してＧＧＳＮと相互に交信し、ＳＧＳＮはＣＳ−１インタフェースを介してＣＳと相互に交信し、ＧＧＳＮはＧｃインタフェースを介してＨＬＲと相互に交信し、ＧＧＳＮと外部インタネットはＧｉインタフェースを介して相互に交信し、ＣＳとＨＬＲはＣＳ−３インタフェースを介して相互に交信する。ＭＳＣ／ＶＬＲおよびＧＭＳＣは回線ドメインの主要構成要素であり、これらを介して端末がＷＣＤＭＡネットワーク内での回線ドメインサービスの交信を実装し、あるいはＰＳＴＮなどの外部回線ドメインサービスネットワークへ接続する。ＳＧＳＮおよびＧＧＳＮはパケットドメインの主要構成要素であり、これらを介して端末がＷＣＤＭＡネットワーク内でのパケットドメインサービスの交信を実装し、あるいはインターネットに接続する。特に、ＣＳとＨＬＲは回線ドメイン構成要素としてのみならず、パケットドメインの構成要素としても供用される。
【０１２２】
上記のアプリケーションネットワーク環境に基づき、ここでＣＳがコンテンツスクリーニング規則を記述するのにＩＥＴＦの“Ｃｏｍｍｏｎ  Ｐｏｌｉｃｙ”（ウェブサイト“ｗｗｗ．ｉｅｔｆ．ｏｒｇ”の“ｄｒａｆｔ−ｉｅｆｔ−ｇｅｏｐｒｉｖ−ｃｏｍｍｏｎ−ｐｏｌｉｃｙ”を参照）を使用することを前提とする。一方、コンテンツスクリーニング規則が異なるＣＳ間で相互に正しく特定されかつ変換されるために、異なるセマンティクスのスクリーニング規則に対する照合および変換の実施には、セマンティクス対応表を使用する。実施例を以下に示す。
【０１２３】
ＩＥＴＦの“Ｃｏｍｍｏｎ  Ｐｏｌｉｃｙ”はＸＭＬを用いて記述され、アプリケーションデータのアクセス制御に関する認証ポリシーフレームワークを規定し、共通ポリシールールの記述方法を明確化する。共通ポリシーフレームワークはほかのアプリケーション分野へ展開可能である。特に、“Ｐｏｌｉｃｙ”は“Ｒｕｌｅ  Ｓｅｔ”であり、多くの“Ｒｕｌｅ”から構成される。それぞれの“Ｒｕｌｅ”には“Ｃｏｎｄｉｔｉｏｎｓ”、“Ａｃｔｉｏｎｓ”、“Ｔｒａｎｓｆｏｒｍａｔｉｏｎｓ”の３つの部分要素が含まれている。“Ｃｏｎｄｉｔｉｏｎｓ”は一連の条件表現であり、それぞれの条件表現は、ＴＲＵＥもしくはＦＡＬＳＥである。コンテンツスクリーニング要求が来ると、“Ｒｕｌｅ  Ｓｅｔ”の中のそれぞれの“Ｒｕｌｅ”との合致が要求され、“Ｃｏｎｄｉｔｉｏｎｓ”部分の条件表示がすべてＴＲＵＥである“Ｒｕｌｅ”が、要求に適用できる“Ｒｕｌｅ”である。“Ａｃｔｉｏｎｓ”はコンテンツを特にスクリーニングする操作であり、“Ｔｒａｎｓｆｏｒｍａｔｉｏｎｓ”はユーザに送信された特定のコンテンツに関する変形操作である。
【０１２４】
ここで、セマンティクスの異なるスクリーニング規則の照合および変換を行うために、セマンティクス対応表が使用される。具体的なセマンティクス対応表を次の表１に示す。ＣＳでは、データベースあるいは簡単なプログラムを用いてセマンティクス対応表が表わされ、それによって、検索サービスが提供され、照合操作の結果情報が返される。
【０１２５】
【表１】
2010512076.tif 000003
【０１２６】
上記に基づき、中国に所在するコンテンツスクリーニングサーバＣの共通コンテンツスクリーニング規則が具体的に以下のようになっていると仮定する。
【０１２７】
2010512076.tif 000004
【０１２８】
上記の“ｒｕｌｅ  ｓｅｔ”において、“ｒｕｌｅ  ｉｄ”が“ｃｈｉｎａ００００００１”の規則に関して、次の２つの“ｃｏｎｄｉｔｉｏｎｓ”、
１）任意のユーザ、
２）コンテンツ部に“ＸＸＸ”、“ＸＸ”、“ＸＸＸＸ”、“ＸＸＸＸＸＸＸ”が含まれる、
が満足される場合、
【０１２９】
実行される“ａｃｔｉｏｎ”は“ｂｌｏｃｋ”、すなわちコンテンツを選別して除外する、である。
【０１３０】
一方で、中国のコンテンツスクリーニングサーバＣにおけるユーザＡ用の個人スクリーニング規則セットは以下のとおりであると仮定する。
【０１３１】
2010512076.tif 000005
【０１３２】
上記の“ｒｕｌｅ  ｓｅｔ”では、“ｒｕｌｅ  ｉｄ”が“ｃｈｉｎａ００１１２５３”の規則に関して、次の２つの“ｃｏｎｄｉｔｉｏｎｓ”、
【０１３３】
１）“ｉｄｅｎｔｉｔｙ”が“ｂｏｂ＠ｃｈｉｎａ．ｃｏｍ”
【０１３４】
２）コンテンツカテゴリが“Ｓ３”
が満足されるとき、
【０１３５】
実行される“ａｃｔｉｏｎ”は“ｂｌｏｃｋ”、すなわちコンテンツを選別して除外する、である。
【０１３６】
米国にあるコンテンツスクリーニングサーバＵの共通コンテンツスクリーニング規則が具体的に以下のようであると仮定する。
【０１３７】
2010512076.tif 000006
【０１３８】
上記の“ｒｕｌｅ  ｓｅｔ”において、“ｒｕｌｅ  ｉｄ”が“ｕｓａ０００００００１”の規則に関して、“ｃｏｎｄｉｔｉｏｎｓ”が、１）任意のユーザ、かつ２）コンテンツカテゴリが“Ｓｅｘ２”もしくは“Ｖｉｏｌｅｎｃｅ１”を満たす時、実行される“ａｃｔｉｏｎ”が“ｂｌｏｃｋ”、すなわちコンテンツを選別して除外する、である。
【０１３９】
結果として、中国のユーザＡが米国へローミングしたとき、米国のコンテンツスクリーニングサーバＵはユーザＡのホームネットワークコンテンツスクリーニングサーバＣの共通スクリーニング規則とユーザＡ用の個人スクリーニング規則集とを入手する必要がある。そして取得したスクリーニング規則およびコンテンツスクリーニングサーバＵの共通スクリーニング規則に対して対応する処理を実行する。具体的なプロセスは以下のとおりである。
【０１４０】
１）コンテンツスクリーニングサーバＵがコンテンツスクリーニングサーバＣから共通スクリーニング規則およびユーザＡの個人スクリーニング規則を取得する。
【０１４１】
２）コンテンツスクリーニングサーバＵの共通スクリーニング規則上に、コンテンツスクリーニングサーバＣの共通スクリーニング規則およびユーザＡに関する個人スクリーニング規則が反映される。こうしてこれが、ユーザＡが米国にいるときの受信および／または送信コンテンツのスクリーニング規則の全機能となる。
【０１４２】
すべてのスクリーニング規則の構文の記述には“ｃｏｍｍｏｎ  ｐｏｌｉｃｙ”が使用されるので、異なるスクリーニング規則間での構文記述変換をしなくても、コンテンツスクリーニングサーバＵとＣは相互に理解できる。コンテンツに含まれるキーワードを直接利用する場合には、具体例を上記表１に示すようにコンテンツスクリーニングサーバのＵとＣとで異なるカテゴリ様式が使用されているために、セマンティクス対応表を利用してカテゴリの変換を実行する必要がある。セマンティクス対応表１によると、中国の「Ｓ３」はコンテンツスクリーニングサーバＵでは「Ｓｅｘ１」として理解される。Ｕのカテゴリ水準規則によれば、「Ｓｅｘ１」の水準は「Ｓｅｘ０」より低い。従って、ユーザＡの個人規則における「Ｓｅｘ０」も反映されなければならない。このような処理に基づいて、米国のコンテンツスクリーニングサーバＵに以下のスクリーニング規則が生成される。
【０１４３】
2010512076.tif 000007
【０１４４】
結果として上記の“ｒｕｌｅ  ｓｅｔ”においては、元の共通規則、すなわち“ｒｕｌｅ  ｉｄ”が“ｕｓａ０００００００１”の規則は不変であるという前提で、“ｒｕｌｅ  ｉｄ”が“ｕｓａ０１２３５０１”の規則が追加される。次の２つの条件、
【０１４５】
１）“ｉｄｅｎｔｉｔｙ”が“ｂｏｂ＠ｃｈｉｎａ．ｃｏｍ”、
【０１４６】
２）コンテンツカテゴリが“Ｓｅｘ１”であるか、コンテンツ部が“ＸＸＸ”、“ＸＸ”、“ＸＸＸＸ”、“ＸＸＸＸＸＸＸ”のいずれかを含む場合、
【０１４７】
実行される“ａｃｔｉｏｎ”は“ｂｌｏｃｋ”、すなわちコンテンツを選別して除外する、である。
【０１４８】
一実施形態を用いて、本発明の方法の特定の実装プロセスの一実施例を説明する。ユーザＡは中国のＷＣＤＭＡ  Ｒ９９ネットワークに基づくサイトＦへの加入者ユーザであり、サイトＦのＣＳ−Ｂにコンテンツスクリーニングサービスを設定していると仮定する。ユーザＡがサイトＧへローミングすると、ユーザはサイトＧのＷＣＤＭＡ  Ｒ９９ネットワークを介してインターネットへ接続する。ローミング時のインターネット接続のためのＩＰアドレスは訪問先ネットワークが割り当てるのがオペレータの全体ポリシーであるので、ユーザＡはＧＧＳＮ−Ｓを介して外部インターネットへ接続する。従って、サイトＧにおけるユーザＡの受信および／または送信コンテンツをスクリーニングする具体的な処理は以下のようになる。
【０１４９】
スクリーニング規則の取得とコンテンツのスクリーニング：ユーザＡが要求したコンテンツを、インターネットネットワークのあるコンテンツの提供元が、ユーザＡのＩＰアドレスに従ってＧＧＳＮ−Ｓへ送信する。そしてＧＧＳＮ−Ｓが、ユーザＡのＩＰアドレスに従って、そのコンテンツをＧｎインタフェースを介してＳＧＳＮ−Ｓへ送信する。そしてＳＧＳＮ−Ｓが、受信したＩＰアドレスに従ってユーザＡのＩＭＳＩを検索し、受信したコンテンツおよび検索したＩＭＳＩをサイトＧのコンテンツスクリーニングサーバＣＳ−Ｓへ送信してそのコンテンツのスクリーニングを要求する。
【０１５０】
ＣＳ−Ｓは受信したＩＭＳＩによるユーザＡのローミング状態記録の検出は行わず、サイトＧのＶＬＲ−ＳにホームネットワークのサイトＦのアドレス検索を要求する。ＶＬＲ−ＳがＩＭＳＩに従ってＨＬＲアドレスを検索する、そしてサイトＦのＨＬＲ−ＢのアドレスをＣＳ−Ｓへ返す。ＣＳ−ＳがユーザＡのスクリーニング規則をＨＬＲ−Ｂに要求し、自身のアドレスを送る。ＨＬＲ−Ｂは要求をサイトＦのＣＳ−Ｂへ転送する。ＣＳ−ＢはユーザＡのＩＭＳＩに従ってそのローミング状態記録を検索し、そのローミング識別子が非ローミングであること知る。ＣＳ−Ｂがその識別子をローミングアウトとして設定し、ＣＳ−Ｓのアドレスを格納する。ＣＳ−Ｂが自身の共通スクリーニング規則、ユーザＡ用の個人スクリーニング規則セット、およびＣＳ−ＢのアドレスをＣＳ−Ｓへ送信する。ＣＳ−ＳがユーザＡをユーザローミング状態記録に追加し、ＣＳ−Ｂのアドレスを格納し、取得したスクリーニング規則を処理して格納し、格納したスクリーニング規則をＩＭＳＩに適切に関連付け、そしてユーザＡのローミング識別子をローミングインとして設定する。ＣＳ−ＳとＣＳ−Ｂとは同一の構文を使用し、かつ同一のカテゴリ水準に基づいているので、構文およびセマンティクスの同定および変換を実行する必要はない。
【０１５１】
ＣＳ−Ｓが受信したＩＭＳＩに従ってユーザＡのローミング状態記録を検索し、そのローミング識別子がローミングインである場合には、ＣＳ−Ｓは、ＣＳ−Ｓの共通スクリーニング規則、ＣＳ−Ｂの共通スクリーニング規則およびユーザＡの個人スクリーニング規則を含む、合致する対応スクリーニング規則をＩＭＳＩに従ってユーザＡのローミング状態記録の中から見つけ出す。
【０１５２】
ＣＳ−Ｂの共通スクリーニング規則とユーザＡの個人スクリーニング規則の双方が反映されたＣＳ−Ｓ自身の共通スクリーニング規則に基づいて、ＣＳ−Ｓがコンテンツをスクリーニングする。そしてそれぞれのスクリーニング処理をした現在時間を、最新の実行時間として記録する。ＣＳ−ＳはスクリーニングしたコンテンツおよびＩＭＳＩをＳＧＳＮ−Ｓへ送信する。ＳＧＳＮ−Ｓは、ＩＭＳＩに従ってスクリーニングされたコンテンツ用の対応処理を実行し、サイトＧのＷＣＤＭＡ  Ｒ９９アクセスネットワークへ送信し、そこを介してサイトＧでローミング中のユーザＡへコンテンツを送信する。
【０１５３】
規則更新処理：ＣＳ−Ｂの共通スクリーニング規則が変更されると、ＣＳ−Ｂが、変更された共通スクリーニング規則を、ユーザＡのローミング状態記録中に記録されたＣＳ−Ｓアドレスに従ってＣＳ−Ｓへ送信し、ＣＳ−Ｓに規則更新処理を要求する。この時要求メッセージにはユーザＡのＩＭＳＩが付属される。ＣＳ−ＳがＩＭＳＩに従ってユーザローミング状態記録を検索し、記録されたローミング識別子がローミングインであることを見つけると、受信したスクリーニング規則を用いて前に格納されたＣＳ−Ｂの共通スクリーニング規則を更新する。ＣＳ−Ｓが更新成功応答メッセージをＣＳ−Ｂへ返す。
【０１５４】
規則削除処理：ユーザＡの受信および／または送信コンテンツに対するスクリーニング処理を最後に実行してからの時間が所定の４８時間を超えたことをＣＳ−Ｓが検知した場合には、ＣＳ−Ｓは、ＣＳ−Ｂサイドから取得して前に格納したスクリーニング規則も含めて、ユーザＡのローミング状態記録中のすべての記録を削除する。ＣＳ−ＳはＣＳ−Ｂに、ユーザＡのローミング状態記録の削除を通知する。ここで、通知メッセージにはユーザＡのＩＭＳＩおよびＣＳ−Ｓアドレスを付属する。ＣＳ−ＢがＩＭＳＩに従ってユーザローミング状態記録を検索し、そこに記録されているローミング識別子がローミングアウトであり、記録されているＣＳアドレスが受信したＣＳアドレスと同一であることが分かると、ユーザＡのローミング記録を削除する。ＣＳ−Ｂが更新成功応答メッセージをＣＳ−Ｓへ返す。
【０１５５】
図１７は、本発明の上記実施形態の実装の結果によるシステム構造およびそのＶＣＳとＨＣＳ内部の処理構造を示す図である。特に、訪問先ネットワークのコンテンツスクリーニングサーバ（ＶＣＳ）１００が、ユーザの受信および／または送信コンテンツのスクリーニング用に使用される、ローミングユーザのホームネットワークのスクリーニング規則を取得する。そして、この取得したスクリーニング規則に基づいて、ローミングユーザの受信および／または送信コンテンツをスクリーニングする。ＶＣＳ１００から送信された取得要求に従って、ホームネットワークコンテンツスクリーニングサーバ（ＨＣＳ）２００が、ユーザの受信および／または送信コンテンツをスクリーニングするためのスクリーニング規則をＶＣＳ１００へ送信する。ＨＣＳ２００から取得したスクリーニング規則を、ＶＣＳ１００が自分で認識できる構文およびセマンティクスに変換して、この変換済みスクリーニング規則に基づいて、ローミングユーザの受信および／または送信コンテンツをスクリーニングしなければならない場合もある。さらに、ＶＣＳ１００がすべての受信および／または送信コンテンツをスクリーニングするための自身のスクリーニング規則を格納している場合には、受信および／または送信コンテンツをスクリーニングするためのこの自身のスクリーニング規則に基づいて、ローミングユーザの受信および／または送信コンテンツをスクリーニングすることも必要である。この場合、ＶＣＳ１００は自身のスクリーニング規則とＨＣＳ２００から取得したスクリーニング規則とを結合する必要があることもあり、この結合したスクリーニング規則に基づいてローミングユーザの受信および／または送信コンテンツをスクリーニングする。第１のローミング方式が利用される場合には、ローミングユーザの受信および／または送信コンテンツはホームネットワークによっても処理される必要がある。従ってこの場合には、ＨＣＳ２００はこれらのコンテンツをスクリーニングすることから遮蔽され、ホームネットワークがこれらのコンテンツをローミングユーザがいる訪問先ネットワークへ直接送信してコンテンツスクリーニング処理を実施する。
【０１５６】
ＶＣＳ１００においては、取得ユニット１０１がローミングユーザのホームネットワークから、ユーザの受信および／または送信コンテンツをスクリーニングするためのスクリーニング規則を取得する。ＨＣＳ２００においては、要求受信ユニット２０１が、ローミングユーザがいる訪問先ネットワークの中のＶＣＳ１００から送信された取得要求を受信するために使用される。ここで取得要求は、ユーザの受信および／または送信コンテンツをスクリーニングするためのスクリーニング規則を要求するために使用される。また、スクリーニング規則フィードバックユニット２０２は、要求受信ユニット２０１が受信した取得要求に従って、ユーザの受信および／または送信コンテンツをスクリーニングするためのスクリーニング規則を自身の規則データベース２０３の中から検索するために使用され、それをＶＣＳ１００へフィードバックする。
【０１５７】
ＶＣＳ１００の規則データベース１０２が、取得ユニット１０１で取得されたスクリーニング規則を格納し、また規則データベース１０２は、受信および／または送信コンテンツをスクリーニングするために使用するＶＣＳ１００自身のスクリーニング規則も追加して格納することができる。スクリーニングユニット１０３は、規則データベース１０２に格納されたスクリーニング規則に基づいて、ローミングユーザの受信および／または送信コンテンツのスクリーニング処理を実施するために使用される。
【０１５８】
規則データベース２０３に格納されている、ユーザの受信および／または送信コンテンツをスクリーニングするためのスクリーニング規則が変更されていることが検知されると、ＨＣＳ２００内の変更規則送信ユニット２０４が、ローミングユーザがいる訪問先ネットワークの中のＶＣＳ１００へ、その変更済みスクリーニング規則を送信する。ユーザの受信および／または送信コンテンツをスクリーニングするためのスクリーニング規則が変更されると、ＶＣＳ１００内の第１規則更新ユニット１０４が、規則データベース１０２中に格納された取得済みのスクリーニング規則を、ローミングユーザのホームネットワークから送信された変更済みスクリーニング規則に基づいて更新する。
【０１５９】
さらに、スクリーニング規則を取得するときに、ＶＣＳ１００内の取得ユニット１０１は、スクリーニング規則に対応する規則識別子も取得し、取得した規則識別子と取得したスクリーニング規則とをそれぞれが対応するように規則データベース１０２の中に格納する。こうして、規則データベース１０２に格納されたスクリーニング規則をＶＣＳが後から更新しようとする際、規則識別子送信ユニット１０５が、規則データベース１０２から格納されている規則識別子を抽出し、それをローミングユーザのホームネットワークへ送信する。たとえば、規則識別子送信ユニット１０５は、ローミングユーザが授受するコンテンツをＶＣＳが受信する度に、後からローミングユーザのホームネットワークへ規則識別子を送信する。ＨＣＳ２００内の規則識別子比較ユニット２０５が、ローミングユーザがいる訪問先ネットワークの中のＶＣＳ１００から送信される規則識別子が規則データベース２０３内にローミングユーザに対応して格納されている規則識別子と一致するかどうかを判定するための比較を実行する。規則識別子比較ユニット２０５の比較結果が一致する場合は、更新結果フィードバックユニット２０６が、ローミングユーザがいる訪問先ネットワーク内のＶＣＳ１００に対して、スクリーニング規則不変通知をフィードバックする。また、比較結果が一致しない場合には、ローミングユーザがいる訪問先ネットワーク内のＶＣＳ１００に対して、新スクリーニング規則とそれに対応する新規則識別子とを送信する。規則識別子送信ユニット１０５が送信した規則識別子がローミングユーザに対応して格納されている規則識別子と一致しない場合、ＶＣＳ１００内の第２規則更新ユニット１０６が、規則データベース１０２に格納されているスクリーニング規則およびそれに対応するスクリーニング規則識別子を、ローミングユーザのホームネットワークから送信された新スクリーン規則及びそれに対応する新識別子に従って更新する
【０１６０】
特に、上記２つの規則更新方式に関して、特定の実装においてはそれらの１つあるいは両方が使用されてもよいし、またほかの規則更新方式が検討されてもよい。
【０１６１】
所定の期間に亘って、ローミングユーザが授受するコンテンツがないことを検知した場合、ＶＣＳ内の第１規則削除ユニット１０７が、規則データベース１０２に格納されている取得済みのスクリーニング規則を削除する。あるいはまた、ローミングユーザが現在の訪問先ネットワークから外へ移動したことを検知した場合、ＨＣＳ２００内の規則削除通知ユニット２０７が、訪問先ネットワーク内のＶＣＳ１００に取得済みのスクリーニング規則を削除するように通知する。そうして、ローミングユーザが訪問先ネットワークの圏外に移動したことを検知した際に、ローミングユーザのホームネットワークから訪問先ネットワークへ送信される規則削除通知に従って、ＶＣＳ１００内の第２規則削除ユニット１０８が、規則データベース１０２内に格納された取得済みのスクリーニング規則を削除する。特に、上記２つの規則削除方式に関して、特定の実装においてはそれらの１つあるいは両方が使用されてもよいし、またほかの規則削除方式が検討されてもよい。
【０１６２】
第１のローミングモードが使用される場合には、ＶＮでローミング中のユーザへ送信されたコンテンツはＨＮで処理される必要がある。それ故この場合には、ローミングユーザの受信および／または送信コンテンツがホームネットワークを経由していく際に、このユーザがローミング中かどうかを判定するのに適応するローミング判定ユニット２０８と、 ユーザがローミング中であるときユーザの受信および／または送信コンテンツのスクリーニング処理を遮蔽するのに適応するスクリーニング遮蔽ユニット２０９と、を含むことが、ＨＮ内のＨＣＳ２００に要求される。ここで、ＨＮが、ローミングユーザがその時訪問しているＶＮに対してスクリーニングの必要なコンテンツをスクリーニングのために送信する。
【０１６３】
さらに、本発明の実施形態がコンテンツスクリーニングサーバを提供し、このサーバが、規則取得ユニットとスクリーニングユニットとを含む。特に、規則取得ユニットは、第２のネットワークにおいてユーザの受信および／または送信コンテンツのスクリーニングに使用される、ローミングユーザの第１のネットワークのスクリーニング規則を取得するのに適応し、スクリーニングユニットは、スクリーニング規則に従って、ローミングユーザの受信および／または送信コンテンツのスクリーニングに適応する。
【０１６４】
好ましくは、コンテンツスクリーニングサーバは、変換ユニット及び自己スクリーニングユニット、の少なくとも１つのユニットをさらに含む。特に、変換ユニットは、第２のネットワークにおいて、取得ユニットによって取得されたスクリーニング規則を、スクリーニングユニットが認識できる構文およびセマンティクスに変換し、変換済みのスクリーニング規則をスクリーニングユニットへ送信するのに適応し、自己スクリーニングユニットは、第２のネットワークにおいて、ローミングユーザの受信および／または送信コンテンツを、第２のネットワーク自身のスクリーニング規則に従ってスクリーニングするのに適応する。
【０１６５】
換言すれば、コンテンツスクリーニングサーバが含むユニットは、次の３つのケースからなっている。
【０１６６】
ケース１：規則取得ユニット、スクリーニングユニットおよび変換ユニットが含まれる。特に、変換ユニットは、規則取得ユニットおよびスクリーニングユニットと個別に接続される。
【０１６７】
ケース２：規則取得ユニット、スクリーニングユニットおよび自己スクリーニングユニットが含まれる。特に、それぞれのユニットの接続方法は、スクリーニングユニットと自己スクリーニングユニットがそれぞれ個別に規則取得ユニットに接続されるか、またはスクリーニングユニットが規則取得ユニットと自己スクリーニングユニットとに個別に接続されるか、または自己スクリーニングユニットが規則取得ユニットとスクリーニングユニットとに個別に接続されるか、である。
【０１６８】
ケース３：規則取得ユニット、スクリーニングユニット、変換ユニットおよび自己スクリーニングユニットが含まれる。特に、それぞれのユニットの特別の接続方式としては、変換ユニットが規則取得ユニットおよびスクリーニングユニットに個別に接続され、自己スクリーニングユニットが次にスクリーニングユニットに接続される。あるいはその代わりに変換ユニットが規則取得ユニットおよびスクリーニングユニットに個別に接続され、自己スクリーニングユニットが次いで取得ユニットに接続される。
【０１６９】
好ましくは、上記の開示に基づいて、コンテンツスクリーニングサーバがさらに次のものを含む。規則取得ユニットにより取得されたスクリーニング規則の少なくとも１つと、変換ユニットにより第２のネットワーク自身のスクリーニング規則を用いて変換された受信済みスクリーニング規則とを結合し、その結合されたスクリーニング規則をスクリーニングユニットへ送信するための結合ユニット。好適な解決法においては、規則取得ユニットが結合ユニットと接続されているだけか、あるいは規則取得ユニット、変換ユニット、結合ユニット、およびスクリーニングユニットが順番に結合されているか、あるいはまた、上記の状況をベースに結合ユニットがそれぞれに追加されているか、のいずれかである。
【０１７０】
好ましくは、コンテンツスクリーニングサーバは、第１規則更新ユニット及び第１規則削除ユニット、の少なくとも１つをさらに含む。特に、第１規則更新ユニットは、ユーザの受信および／または送信コンテンツをスクリーニングするためのスクリーニング規則が変更された場合に、ローミングユーザの第１のネットワークから送信された変更済みスクリーニング規則に従って、取得されたスクリーニング規則を更新するのに適応する。そして、第１規則削除ユニットは、第２のネットワークが、所定期間の間ローミングユーザの受信および／または送信コンテンツがないことを検知した場合に、取得したスクリーニング規則を削除するのに適応する。
【０１７１】
上記から、第１のネットワークがホームネットワークである場合は、第２のネットワークは訪問先ネットワークであり、あるいは、第１のネットワークが訪問先ネットワークである場合は、第２のネットワークがホームネットワークである、ことに留意されたい。
【０１７２】
コンテンツスクリーニングサーバが訪問先ネットワークに対して供用される場合、好ましくは規則取得ユニットが、第１規則取得サブユニットを含み、さらに、規則識別子取得サブユニット、規則識別子送信ユニットおよび第２規則更新ユニットを含む。特に、第１規則取得サブユニットは、訪問先ネットワークがローミングユーザを初めて検知した場合、あるいはローミングユーザの受信および／または送信コンテンツを初めて受信した場合に、ユーザの受信および／または送信コンテンツをスクリーニングするのに使用される、ローミングユーザのホームネットワークのスクリーニング規則を取得するのに適応する。規則識別子取得サブユニットは、スクリーニング規則を取得する際に、スクリーニング規則に対応する規則識別子を取得するのに適応する。
規則識別子送信ユニットは、規則識別子をローミングユーザのホームネットワークへ送信するのに適応する。そして、第２の規則更新ユニットは、規則識別子送信ユニットから送信された規則識別子がローミングユーザに対応して格納された規則識別子と一致しない場合に、ローミングユーザのホームネットワークから送信された新スクリーニング規則および対応する新規則識別子に従って、格納されたスクリーニング規則及び対応する規則識別子を更新するのに適応する。
【０１７３】
コンテンツスクリーニングサーバが訪問先ネットワークに対して供用される場合、好ましくはさらに第２規則削除ユニットを含み、これは、ローミングユーザが訪問先ネットワークの外部へ移動したことを検知した場合にホームネットワークから送信された規則削除通知を受信すると、取得済みのスクリーニング規則を削除するのに適応する。
【０１７４】
コンテンツスクリーニングサーバがホームネットワークに対して供用される場合、好ましくは規則取得ユニットが、
【０１７５】
第２規則取得サブユニットを含み、これは、ホームネットワークがローミングユーザの初回の正常登録を検知した際に、ユーザの受信および／または送信コンテンツをスクリーニングするために使用される、ローミングユーザの訪問先ネットワークのスクリーニング規則を取得するのに適応する。
【０１７６】
コンテンツスクリーニングサーバが訪問先ネットワークに対して供用される場合、好ましくはコンテンツスクリーニングサーバが、
【０１７７】
第３の規則削除ユニットをさらに含み、これはホームネットワークがローミングユーザの登録解放を検知した際に、取得したスクリーニング規則を削除するのに適応する。
【０１７８】
コンテンツスクリーニングサーバ内のそれぞれのユニットの機能と操作を実装するプロセスは、上記の方法における対応プロセスの実装プロセスの中で詳述した。よってここでは繰り返さない。
【０１７９】
要約すると、従来技術に比較して、本発明の実施形態によると、訪問先ネットワーク／ホームネットワークがホームネットワーク／訪問先ネットワークのコンテンツスクリーニング規則を利用するので、ユーザが訪問先ネットワークでローミング中の場合に、コンテンツをホームネットワークと訪問先ネットワークとでそれぞれに処理しなければならないという第１のローミングモードにおける課題を回避することができる。それによって、スクリーニング処理時間の短縮、ユーザのコンテンツ待ちの時間の短縮が図れ、よってユーザの利用感覚が改善される。さらに、本発明の実施形態は第２のローミングモードにも適合し、コンテンツがホームネットワークと訪問先ネットワークとの間を伝送されるのを防ぎ、そのため中間伝送の不良ないしはほかのコンテンツスクリーニングプロバイダの不良に影響されることもなく、それによってコンテンツスクリーニングサービスの正常な実行を促進することができる。さらに、本発明の実施形態は、第１のローミングモードとの互換性があり、ＩＭＳのホームドメイン制御原理にも準拠する。
【０１８０】
当業者であれば、本方法の上記実施形態のすべてあるいは一部を、プログラム命令関連ハードウェアで実装できること、および、実行時の上記方法のプロセスを含むプログラムが（プロセスの内容についてはこれまでに詳述したのでここでは繰り返さない）、ＲＯＭ／ＲＡＭ、磁気ディスク、光ディスク等の、コンピュータ可読媒体に格納できること、を理解するであろうことに留意されたい。
【０１８１】
当業者であれば、本発明の趣旨と範囲から逸脱することなしに、本発明の変形および修正が可能であることは明らかである。結果として、本発明は添付の請求範囲およびその同等物によって定義される範囲内の変形および修正を包含することを意図している。
【図１】
2010512076.tif 000008
【図２】
2010512076.tif 000009
【図３】
2010512076.tif 000010
【図４】
2010512076.tif 000011
【図５】
2010512076.tif 000012
【図６】
2010512076.tif 000013
【図７】
2010512076.tif 000014
【図８】
2010512076.tif 000015
【図９】
2010512076.tif 000016
【図１０】
2010512076.tif 000017
【図１１】
2010512076.tif 000018
【図１２】
2010512076.tif 000019
【図１３】
2010512076.tif 000020
【図１４】
2010512076.tif 000021
【図１５】
2010512076.tif 000022
【図１６】
2010512076.tif 000023
【図１７】
2010512076.tif 000024
【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
ローミングユーザの通信コンテンツをスクリーニングする方法であって、
前記ローミングユーザの第２のネットワークにより、前記ユーザの受信および／または送信コンテンツをスクリーニングするのに用いる、前記ローミングユーザの第１のネットワークのスクリーニング規則を取得するステップと、
前記スクリーニング規則に従って、前記ローミングユーザの前記受信および／または送信コンテンツをスクリーニングするステップと、
を含むローミングユーザの通信コンテンツをスクリーニングする方法。
【請求項２】
前記方法が、
前記第２のネットワークによって、前記取得されたスクリーニング規則を前記第２のネットワーク自身に認識可能な構文およびセマンティクスに変換し、前記変換されたスクリーニング規則に従って、前記ローミングユーザの前記受信および／または送信コンテンツをスクリーニングするステップと、
前記ローミングユーザの前記第２のネットワークによって、前記ローミングユーザの前記受信および／または送信コンテンツを前記第２のネットワーク自身のスクリーニング規則に従って、スクリーニングするステップと、
の少なくとも１つをさらに含むことを特徴とする請求項１に記載の方法。
【請求項３】
前記ローミングユーザの前記第２のネットワークが、前記取得されたスクリーニング規則及び前記変換されたスクリーニング規則の少なくとも１つを前記第２のネットワーク自身のスクリーニング規則と結合させ、前記結合したスクリーニング規則に従って前記ローミングユーザの前記受信および／または送信コンテンツをスクリーニングすることを特徴とする請求項２に記載の方法。
【請求項４】
前記ユーザの前記受信および／または送信コンテンツをスクリーニングする前記スクリーニング規則が変更された場合、前記第１のネットワークにより、前記変更されたスクリーニング規則を前記第２のネットワークへ送信するステップと、
前記第２のネットワークにより、前記取得したスクリーニング規則を受信した前記変更されたスクリーニング規則に従って更新するステップと、
をさらに含むことを特徴とする請求項１に記載の方法。
【請求項５】
所定の期間内に前記ローミングユーザの受信および／または送信コンテンツがないことを検知した場合に、前記第２のネットワークにより、前記取得したスクリーニング規則を削除するステップをさらに含むことを特徴とする請求項１に記載の方法。
【請求項６】
前記第１のネットワークがホームネットワークでありかつ前記第２のネットワークが訪問先ネットワークである、もしくは、前記第１のネットワークが訪問先ネットワークでありかつ前記第２のネットワークがホームネットワークである、ことを特徴とする請求項１ないし請求項５のいずれかに記載の方法。
【請求項７】
前記第２のネットワークが訪問先ネットワークであり、かつ前記第１のネットワークがホームネットワークである場合、前記ユーザの受信および／または送信コンテンツをスクリーニングするために使用される前記ローミングユーザの第１のネットワークのスクリーニング規則を取得するステップが、
前記ローミングユーザを最初に検出した場合、もしくは前記ローミングユーザの前記受信および／または送信コンテンツを最初に受信した場合に、前記ユーザの前記受信および／または送信コンテンツをスクリーニングするために使用される、前記ローミングユーザの前記ホームネットワークの前記スクリーニング規則を、前記訪問先ネットワークにより取得するステップを含む、もしくは、
前記第２のネットワークがホームネットワークであり、かつ前記第１のネットワークが訪問先ネットワークである場合、前記ユーザの受信および／または送信コンテンツをスクリーニングするために使用される前記ローミングユーザの前記第１のネットワークのスクリーニング規則を取得するステップが、
前記ローミングユーザの最初の正常登録を検知した場合に、ホームネットワークによって、前記ローミングユーザの前記訪問先ネットワークから前記スクリーニング規則を取得するステップを含む、
ことを特徴とする請求項１に記載の方法。
【請求項８】
前記第２のネットワークがホームネットワークであり、前記第１のネットワークが訪問先ネットワークである場合、前記ローミングユーザの登録解放を検知すると、前記ホームネットワークが前記取得済みのスクリーニング規則を削除することを特徴とする請求項７に記載の方法。
【請求項９】
前記第２のネットワークが訪問先ネットワークであり、かつ前記第１のネットワークがホームネットワークである場合、前記方法が、
前記ローミングユーザが前記訪問先ネットワークの圏外に移動したことを検知したとき、前記ローミングユーザの前記ホームネットワークにより、前記取得したスクリーニング規則を削除するように前記訪問先ネットワークに通知するステップと、
前記通知を受信したとき、前記訪問先ネットワークにより、前記取得したスクリーニング規則を削除するステップと、
をさらに含むことを特徴とする請求項１に記載の方法。
【請求項１０】
ユーザの受信および／または送信コンテンツのスクリーニングに用いる、ローミングユーザの第１のネットワークのスクリーニング規則を取得するのに適応する、第２のネットワークの規則取得ユニットと、
前記スクリーニング規則に従って、前記ローミングユーザの前記受信および／または送信コンテンツをスクリーニングするのに適応するスクリーニングユニットと、
を含むコンテンツスクリーニングサーバ。
【請求項１１】
前記第２のネットワークにおいて、前記取得ユニットにより取得された前記スクリーニング規則を前記スクリーニングユニットにより認識可能な構文およびセマンティクスに変換するのに適応する変換ユニットと、
前記第２のネットワークにおいて、前記第２のネットワーク自身のスクリーニング規則に従って前記ローミングユーザの前記受信および／または送信コンテンツをスクリーニングするのに適応する自己スクリーニングユニットと、
の少なくとも１つのユニットをさらに含むことを特徴とする請求項１０に記載のコンテンツスクリーニングサーバ。
【請求項１２】
前記規則取得ユニットにより取得された前記スクリーニング規則の少なくとも１つと、前記第２のネットワーク自身のスクリーニング規則を用いて前記変換ユニットにより変換された前記受信されたスクリーニング規則とを結合し、前記結合されたスクリーニング規則を前記スクリーニングユニットへ送信するのに適応する結合ユニット、をさらに含むことを特徴とする請求項１０または請求項１１に記載のコンテンツスクリーニングサーバ。
【請求項１３】
前記ユーザの前記受信および／または送信コンテンツをスクリーニングするための前記スクリーニング規則が変更されたとき、前記ローミングユーザの前記第１のネットワークから送信された変更されたスクリーニング規則に従って、前記取得されたスクリーニング規則の更新に適応する第１の規則更新ユニットと、
前記第２のネットワークが、所定の期間内に前記ローミングユーザの受信および／または送信コンテンツがないことを検知したときに、前記取得されたスクリーニング規則の削除に適応する第１の規則削除ユニットと、
の少なくとも１つをさらに含むことを特徴とする請求項１０に記載のコンテンツスクリーニングサーバ。
【請求項１４】
前記第１のネットワークがホームネットワークでありかつ前記第２のネットワークが訪問先ネットワークである、もしくは、前記第１のネットワークが訪問先ネットワークでありかつ前記第２のネットワークがホームネットワークである、ことを特徴とする請求項１０、１１、１２、１３のいずれか１項に記載のコンテンツスクリーニングサーバ。
【請求項１５】
コンピュータユニットによって実行される場合に、請求項１ないし９のいずれか１項に記載のプロセスを前記コンピュータユニットに実行させるプログラムコードを含む、コンピュータプログラム製品。
【手続補正３】
【補正対象書類名】明細書
【補正対象項目名】０００２
【補正方法】変更
【補正の内容】
【０００２】
本発明は通信分野におけるコンテンツのスクリーニング技術に関し、特にローミングユーザの通信コンテンツのスクリーニング用方法およびシステム、および、訪問先ネットワークコンテンツスクリーニングサーバ、ホームネットワークコンテンツスクリーニングサーバ、コンテンツスクリーニングサーバ、に関する。
【手続補正４】
【補正対象書類名】明細書
【補正対象項目名】０００５
【補正方法】変更
【補正の内容】
【０００５】
その結果、ユーザ９０がホームネットワーク１０にいる場合には、ユーザ９０の関連コンテンツが遵守すべきスクリーニング規則としては、ホームネットワーク共通規則管理者６０により管理される規則と、コンテンツスクリーニング加入者８０により設定されたスクリーニング規則とが含まれる。ユーザが訪問先ネットワーク２０にローミングする場合には、上記のホームネットワークのスクリーニング規則を遵守することに加えて、ユーザ９０の関連コンテンツはさらに、訪問先ネットワーク共通規則管理者７０により管理される規則も遵守する。
【手続補正５】
【補正対象書類名】明細書
【補正対象項目名】図１１
【補正方法】変更
【補正の内容】
【図１１】本発明の一実施形態による、実施形態中のローミングユーザへ送信されたコン
テンツのスクリーニングを実施する後続処理を示す図である。上記の図１０に示す処理プロセスによりローミングユーザのＨＮのスクリーニング規則が取得され、ＶＮに格納されることに基づく。
【手続補正６】
【補正対象書類名】明細書
【補正対象項目名】００７５
【補正方法】変更
【補正の内容】
【００７５】
Ｓ４１．ＶＮがローミングアウトユーザ記録表を検索し、ＣＲから送信されたコンテンツおよびユーザ識別子をＶＣＳへ転送し、ユーザ記録が検出されない場合にはＶＣＳにコンテンツのスクリーニングを要求する。ＣＲから送られた受信ユーザの識別子をＶＣＳが認識できない場合には、ＶＮが、ＣＲから送られた受信ユーザの識別子に従って、ＶＣＳの認識可能な対応するユーザ識別子を探してＶＣＳへ送信する必要がある。
【手続補正７】
【補正対象書類名】明細書
【補正対象項目名】００９１
【補正方法】変更
【補正の内容】
【００９１】
Ｓ８１．ＶＮがローミングアウトユーザ記録表を検索し、ユーザ記録が検出されない場合には、ＣＲから送信されたコンテンツおよびユーザ識別子をＶＣＳへ転送し、ＶＣＳにコンテンツのスクリーニングを要求する。ＣＲから送られた受信ユーザの識別子をＶＣＳが認識できない場合には、ＶＮは、ＣＲから送られた受信ユーザの識別子に従って、ＶＣＳが認識可能な対応するユーザ識別子を探してＶＣＳへ送信する必要がある。
【手続補正８】
【補正対象書類名】明細書
【補正対象項目名】００９６
【補正方法】変更
【補正の内容】
【００９６】
Ｓ８６．ＨＣＳは更新されたスクリーニング規則とそれに対応する規則識別子を抽出し、それからＶＣＳに規則更新応答を返す。ここで、規則更新応答には、ユーザ識別子、更新済みスクリーニング規則、およびその対応する規則識別子とが付属している。上記のＳ８５の比較結果が同一判定となれば、ＨＣＳは、規則非更新応答メッセージをＶＣＳにフィードバックする。この応答メッセージを受信しない場合には、ＶＣＳはある時間を置いて上記Ｓ８３の要求メッセージを再送信してもよい。所定の回数、メッセージを繰り返し送信してもなおＨＣＳからのフィードバックされる応答を受信しない場合には、ＶＣＳはＳ８８および後続のプロセスを続けるために、メッセージ送信の終了を検討してもよい。
【手続補正９】
【補正対象書類名】明細書
【補正対象項目名】０１３１
【補正方法】変更
【補正の内容】
【０１３１】
2010512076.tif 000025
【手続補正１０】
【補正対象書類名】明細書
【補正対象項目名】０１３７
【補正方法】変更
【補正の内容】
【０１３７】
2010512076.tif 000026
【手続補正１１】
【補正対象書類名】明細書
【補正対象項目名】０１３８
【補正方法】変更
【補正の内容】
【０１３８】
上記の“ｒｕｌｅ  ｓｅｔ”において、“ｒｕｌｅ  ｉｄ”が“ｕｓａ０００００００１”の規則に関して、“ｃｏｎｄｉｔｉｏｎｓ”が、１）任意のユーザ、かつ２）コンテンツカテゴリが“Ｓｅｘ０”もしくは“Ｖｉｏｌｅｎｃｅ１”を満たす時、実行される“ａｃｔｉｏｎ”が“ｂｌｏｃｋ”、すなわちコンテンツを選別して除外する、である。
【手続補正１２】
【補正対象書類名】明細書
【補正対象項目名】０１４２
【補正方法】変更
【補正の内容】
【０１４２】
すべてのスクリーニング規則の構文の記述には“ｃｏｍｍｏｎ  ｐｏｌｉｃｙ”が使用されるので、異なるスクリーニング規則間での構文記述変換をしなくても、コンテンツスクリーニングサーバＵとＣは相互に理解できる。コンテンツに含まれるキーワードを直接利用する場合には、具体例を上記表１に示すようにコンテンツスクリーニングサーバのＵとＣとで異なるカテゴリ様式が使用されているために、セマンティクス対応表を利用してカテゴリの変換を実行する必要がある。セマンティクス対応表１によると、中国の「Ｓ３」はコンテンツスクリーニングサーバＵでは「Ｓｅｘ１」として理解される。Ｕのカテゴリ水準規則によれば、「Ｓｅｘ１」の水準は「Ｓｅｘ０」より低い。従って、ユーザＡの個人規則における「Ｓｅｘ１」も反映されなければならない。このような処理に基づいて、米国のコンテンツスクリーニングサーバＵに以下のスクリーニング規則が生成される。
【手続補正１３】
【補正対象書類名】明細書
【補正対象項目名】０１４３
【補正方法】変更
【補正の内容】
【０１４３】
2010512076.tif 000027
【手続補正１４】
【補正対象書類名】明細書
【補正対象項目名】０１６４
【補正方法】変更
【補正の内容】
【０１６４】
好ましくは、コンテンツスクリーニングサーバは、変換ユニット及び自己スクリーニングユニット、の少なくとも１つのユニットをさらに含む。特に、変換ユニットは、第２のネットワークにおいて、規則取得ユニットによって取得されたスクリーニング規則を、スクリーニングユニットが認識できる構文およびセマンティクスに変換し、変換済みのスクリーニング規則をスクリーニングユニットへ送信するのに適応し、自己スクリーニングユニットは、第２のネットワークにおいて、ローミングユーザの受信および／または送信コンテンツを、第２のネットワーク自身のスクリーニング規則に従ってスクリーニングするのに適応する。
【手続補正１５】
【補正対象書類名】明細書
【補正対象項目名】０１６８
【補正方法】変更
【補正の内容】
【０１６８】
ケース３：規則取得ユニット、スクリーニングユニット、変換ユニットおよび自己スクリーニングユニットが含まれる。特に、それぞれのユニットの特別の接続方式としては、変換ユニットが規則取得ユニットおよびスクリーニングユニットに個別に接続され、自己スクリーニングユニットが次にスクリーニングユニットに接続される。あるいはその代わりに変換ユニットが規則取得ユニットおよびスクリーニングユニットに個別に接続され、自己スクリーニングユニットが次いで規則取得ユニットに接続される。
【国際調査報告】
2010512076.tif 000028
2010512076.tif 000029
2010512076.tif 000030
2010512076.tif 000031